(57)【要約】  本発明は、端末が低周波数帯域でダウンリンク制御シグナリングを受信し、高速データ伝送を行う必要がある時に高周波数帯域セルとデータ伝送を行うことができるデータ伝送のための方法、端末と基地局を開示する。該方法は、端末がデータを伝送しない時に、第一の周波数帯域を使用する第一のセルで第一の指示情報を受信し、該第一の指示情報が、第二の周波数帯域を使用してデータを伝送するように該第一の指示情報を受信した端末に指示することに用いられることと、該端末が該第一の指示情報に基づき、データ伝送を行う必要がある時に第二の周波数帯域を使用する第二のセルでデータ伝送を行うこととを含む。
2019525505.tif 000002
【特許請求の範囲】
【請求項１】
データ伝送のための方法であって、
端末がデータを伝送しない時に、第一の周波数帯域を使用する第一のセルで第一の指示情報を受信し、前記第一の指示情報が、データを伝送する必要がある時に第二の周波数帯域を使用してデータを伝送するように前記第一の指示情報を受信した端末に指示することに用いられることと、
前記端末が前記第一の指示情報に基づき、データ伝送を行う必要がある時に第二の周波数帯域を使用する第二のセルでデータ伝送を行うこととを含む、データ伝送方法。
【請求項２】
前記端末が前記第一の指示情報に基づき、データ伝送を行う必要がある時に第二の周波数帯域を使用する第二のセルでデータ伝送を行うことは、
前記端末が前記第一の指示情報に基づき、前記第二の周波数帯域を使用する一つ又は複数の第二のセルをターゲットセルとして確定することと、
前記端末が前記ターゲットセルとセル同期を行うことと、
前記端末がデータ伝送を行う必要がある時に、前記第二の周波数帯域を使用して前記ターゲットセルとデータ伝送を行うこととを含むことを特徴とする
請求項１に記載の方法。
【請求項３】
前記第一の指示情報が第一の基地局によって前記第一のセルを介して送信されたページング情報、又は前記ページング情報とターゲットセルの配置情報であり、前記第一の指示情報が前記第二の周波数帯域情報及び／又は前記ターゲットセルの属する基地局情報及び／又は前記ターゲットセル情報を含み、前記第一の基地局が前記第一のセルの属する基地局であり、及び、
前記端末が前記第一の指示情報に基づき、前記第二の周波数帯域を使用する一つ又は複数の第二のセルをターゲットセルとして確定することは、
前記端末が前記ページング情報に基づいて前記ターゲットセルを確定すること、又は、
前記端末が前記ページング情報と前記ターゲットセルの配置情報に基づき、前記ターゲットセルを確定することを含むことを特徴とする
請求項２に記載の方法。
【請求項４】
前記第一の指示情報が第一の基地局によって前記第一のセルを介して送信された第二のセルのシステム情報であり、前記第二のセルのシステム情報が前記第二のセルの周波数帯域情報及び／又は前記第二のセルの属する基地局情報及び／又は前記第二のセル情報を含み、前記第一の基地局が前記第一のセルの属する基地局であり、及び、
前記端末がデータを伝送しない時に、第一の周波数帯域を使用する第一のセルで第一の指示情報を受信することは、
前記端末が前記第一の周波数帯域を使用する前記第一のセルで少なくとも一つの第二のセルのシステム情報を受信し、前記少なくとも一つの第二のセルのシステム情報が少なくとも一つの第二のセルと一対一で対応することを含み、
前記端末が前記第一の指示情報に基づき、前記第二の周波数帯域を使用する一つ又は複数の第二のセルをターゲットセルとして確定することは、
前記端末が前記少なくとも一つの第二のセルのシステム情報に基づき、前記少なくとも一つの第二のセルから一つ又は複数の第二のセルを前記ターゲットセルとして確定することを含むことを特徴とする
請求項２に記載の方法。
【請求項５】
前記端末が前記ターゲットセルとセル同期を行うことは、
前記端末が前記第二の周波数帯域で、前記ターゲットセルの属するターゲット基地局へアップリンク同期リクエストを送信し、前記アップリンク同期リクエストが前記端末と前記ターゲットセルのアップリンク同期情報を取得することに用いられることと、
前記端末が前記第一のセルでアップリンク同期情報を受信し、前記アップリンク同期情報が前記第一の基地局によって前記ターゲット基地局から取得され、前記アップリンク同期情報が前記ターゲット基地局によって前記アップリンク同期リクエストに応じて確定され、前記第一の基地局が前記第一のセルの属する基地局であることと、
前記端末が前記アップリンク同期情報に基づき、前記ターゲットセルとアップリンク同期を行うこととを含むことを特徴とする
請求項２乃至４のいずれか一項に記載の方法。
【請求項６】
アップリンク同期リクエスト情報及び送信リソースは前記ターゲット基地局によって確定され、且つ前記第一の基地局を介して送信側に送信され、又は、
前記アップリンク同期リクエスト情報は前記第一の基地局によって前記ターゲット基地局にリクエストされ、且つ前記ターゲット基地局が前記アップリンク同期リクエストを確認し且つ前記送信リソースを割り当てた後に、前記第一の基地局によって前記端末に送信され、
ここで、前記アップリンク同期リクエスト情報は前記送信リソースの指示情報を含むことを特徴とする
請求項５に記載の方法。
【請求項７】
前記端末が前記ターゲットセルとセル同期を行うことは、
前記端末が前記第一のセルで前記第一のセルのダウンリンク同期情報を受信することと、
前記端末が前記ターゲットセルのダウンリンク同期情報を確定することと、
前記端末が前記ターゲットセルのダウンリンク同期情報に基づき、前記ターゲットセルとダウンリンク同期を行うこととを含むことを特徴とする
請求項２乃至４のいずれか一項に記載の方法。
【請求項８】
前記端末が前記ターゲットセルのダウンリンク同期情報を確定することは、
前記端末が前記第一の基地局によって前記第一のセルを介して送信された、前記少なくとも一つの第二のセルに対応する少なくとも一つのダウンリンク同期オフセット情報を受信し、各ダウンリンク同期オフセット情報が対応する第二のセルのタイミングと前記第一のセルのタイミングの間の時間オフセット量を含み、前記第一の基地局が前記第一のセルの属する基地局であることと、
前記端末が前記少なくとも一つの第二のセルのダウンリンク同期オフセット情報に基づき、前記ターゲットセルのダウンリンク同期情報を確定することとを含むことを特徴とする
請求項７に記載の方法。
【請求項９】
データ伝送のための方法であって、
第一の基地局が第一の指示情報を確定し、前記第一の指示情報が、第二の周波数帯域を使用する第二のセルでデータを伝送するように前記第一の指示情報を受信した端末に指示することに用いられ、前記第一の基地局が第一の周波数帯域を使用する第一のセルの属する基地局であることと、
前記第一の基地局が前記第一のセルを介して前記第一の指示情報を送信することとを含む、データ伝送方法。
【請求項１０】
前記第一の指示情報がページング情報、又は前記ページング情報とターゲットセルの配置情報であり、前記第一の指示情報が前記第二の周波数帯域情報及び／又はターゲット基地局情報及び／又は前記ターゲットセル情報を含み、前記第二のセルが前記ターゲットセルを含み、前記ターゲット基地局が前記ターゲットセルの属する基地局であり、及び、
前記第一の基地局が前記第一のセルを介して第一指示情報を送信することは、
前記第一の基地局が前記第一のセルを介して前記ページング情報を送信すること、又は、
前記第一の基地局が前記第一のセルを介して前記ページング情報と前記ターゲットセルの配置情報を送信することを含むことを特徴とする
請求項９に記載の方法。
【請求項１１】
前記第一の指示情報は前記第二のセルのシステム情報であり、前記第二のセルのシステム情報が前記第二のセルの周波数帯域情報及び／又は前記第二のセルの属する基地局情報及び／又は前記第二のセル情報を含み、及び、
前記第一の基地局が前記第一のセルを介して第一の指示情報を送信することは、
前記第一の基地局が少なくとも一つの第二の基地局によって送信された少なくとも一つの第二のセルのシステム情報を受信し、前記少なくとも一つの第二のセルのシステム情報が前記少なくとも一つの第二のセルと一対一で対応することと、
前記第一の基地局が前記第一のセルを介して前記少なくとも一つの第二のセルのシステム情報を送信することとを含むことを特徴とする
請求項９に記載の方法。
【請求項１２】
前記方法はさらに、
前記第一の基地局が前記第一のセルを介してアップリンク同期情報を送信し、前記アップリンク同期情報が前記第一の基地局によってターゲット基地局から取得され、前記アップリンク同期情報が前記ターゲット基地局によって前記端末が前記第二の周波数帯域で前記ターゲット基地局に送信したアップリンク同期リクエストに応じて確定され、前記ターゲット基地局が前記ターゲットセルの属する基地局であり、前記ターゲットセルが前記端末によって前記少なくとも一つの第二のセルから確定されることを含むことを特徴とする
請求項９乃至１１のいずれか一項に記載の方法。
【請求項１３】
前記方法はさらに、
前記第一の基地局が前記第一のセルを介して前記端末へ前記第一のセルのダウンリンク同期情報を送信することを含むことを特徴とする
請求項９乃至１１のいずれか一項に記載の方法。
【請求項１４】
前記方法はさらに、
前記第一の基地局が前記第一のセルを介して前記端末へ前記少なくとも一つの第二のセルに対応する少なくとも一つのダウンリンク同期オフセット情報を送信し、各ダウンリンク同期オフセット情報が対応する第二のセルのタイミングと前記第一のセルのタイミングの間の時間オフセット量を含むことを含むことを特徴とする
請求項１３に記載の方法。
【請求項１５】
データ伝送のための方法であって、
第二の基地局が第一の基地局へ第二のセルのシステム情報を送信し、前記システム情報が前記第二のセルのシステムパラメータを示すことに用いられ、前記第二のセルに対応する搬送波周波数が第二の周波数帯域に属し、前記第一の基地局が第一の周波数帯域を使用する第一のセルの属する基地局であり、前記第二の基地局に前記第二のセルと前記第一のセルとの対応関係が予め記憶されることと、
前記第二の基地局が前記第二のセルを介して前記端末とデータ伝送を行うこととを含む、データ伝送方法。
【請求項１６】
前記方法はさらに、
前記第二の基地局が前記第二の周波数帯域で前記端末から送信されたアップリンク同期リクエストを受信し、前記アップリンク同期リクエストが前記端末と前記第二のセルのアップリンク同期情報を取得することに用いられることと、
前記第二の基地局が前記アップリンク同期リクエストに応じて前記アップリンク同期情報を確定し、且つ前記第一の基地局へ前記アップリンク同期情報を送信することとを含むことを特徴とする
請求項１５に記載の方法。
【請求項１７】
端末であって、
データを伝送しない時に、第一の周波数帯域を使用する第一のセルで第一の指示情報を受信するように構成され、前記第一の指示情報が、データを伝送する必要がある時に第二の周波数帯域を使用してデータを伝送するように前記第一の指示情報を受信した端末に指示することに用いられる送受信ユニットを備え、
前記送受信ユニットがさらに前記第一の指示情報に基づき、データ伝送を行う必要がある時に第二の周波数帯域を使用する第二のセルでデータ伝送を行うように構成される、端末。
【請求項１８】
前記端末はさらに、
前記第一の指示情報に基づき、前記第二の周波数帯域を使用する一つ又は複数の第二のセルをターゲットセルとして確定するように構成される確定ユニットと、
前記ターゲットセルとセル同期を行うように構成される処理ユニットとを備え、
前記送受信ユニットは具体的に、データ伝送を行う必要がある時に、前記第二の周波数帯域を使用して前記ターゲットセルとデータ伝送を行うように構成されることを特徴とする
請求項１７に記載の端末。
【請求項１９】
前記第一の指示情報が第一の基地局によって前記第一のセルを介して送信されたページング情報、又は前記ページング情報とターゲットセルの配置情報であり、前記第一の指示情報が前記第二の周波数帯域情報及び／又は前記ターゲットセルの属する基地局情報及び／又は前記ターゲットセル情報を含み、前記第一の基地局が前記第一のセルの属する基地局であり、
前記確定ユニットは具体的に前記ページング情報に基づいて前記ターゲットセルを確定するように構成され、又は、
前記確定ユニットは具体的に前記ページング情報と前記ターゲットセルの配置情報に基づき、前記ターゲットセルを確定するように構成されることを特徴とする
請求項１８に記載の端末。
【請求項２０】
前記第一の指示情報は第一の基地局によって前記第一のセルを介して送信された第二のセルのシステム情報であり、前記第二のセルのシステム情報が前記第二のセルの周波数帯域情報及び／又は前記第二のセルの属する基地局情報及び／又は前記第二のセル情報を含み、前記第一の基地局が前記第一のセルの属する基地局であり、
前記送受信ユニットは具体的に、前記第一の周波数帯域を使用する前記第一のセルで少なくとも一つの第二のセルのシステム情報を受信するように構成され、前記少なくとも一つの第二のセルのシステム情報が少なくとも一つの第二のセルと一対一で対応し、
前記確定ユニットは具体的に前記少なくとも一つの第二のセルのシステム情報に基づき、前記少なくとも一つの第二のセルから一つ又は複数の第二のセルを前記ターゲットセルとして確定するように構成されることを特徴とする
請求項１８に記載の端末。
【請求項２１】
前記送受信ユニットはさらに前記第二の周波数帯域で、前記ターゲットセルの属するターゲット基地局へアップリンク同期リクエストを送信するように構成され、前記アップリンク同期リクエストが前記端末と前記ターゲットセルのアップリンク同期情報を取得することに用いられ、
前記送受信ユニットはさらに前記第一のセルでアップリンク同期情報を受信するように構成され、前記アップリンク同期情報が前記第一の基地局によって前記ターゲット基地局から取得され、前記アップリンク同期情報が前記ターゲット基地局によって前記アップリンク同期リクエストに応じて確定され、前記第一の基地局が前記第一のセルの属する基地局であり、
前記処理ユニットは具体的に前記アップリンク同期情報に基づき、前記ターゲットセルとアップリンク同期を行うように構成されることを特徴とする
請求項１８乃至２０のいずれか一項に記載の端末。
【請求項２２】
前記送受信ユニットはさらに前記第一のセルで前記第一のセルのダウンリンク同期情報を受信するように構成され、
前記確定ユニットはさらに前記ターゲットセルのダウンリンク同期情報を確定するように構成され、
前記処理ユニットは具体的に前記ターゲットセルのダウンリンク同期情報に基づき、前記ターゲットセルとダウンリンク同期を行うように構成されることを特徴とする
請求項１８乃至２０のいずれか一項に記載の端末。
【請求項２３】
前記送受信ユニットはさらに前記第一の基地局によって前記第一のセルを介して送信された、前記少なくとも一つの第二のセルに対応する少なくとも一つのダウンリンク同期オフセット情報を受信するように構成され、各ダウンリンク同期オフセット情報が対応する第二のセルのタイミングと前記第一のセルのタイミングの間の時間オフセット量を含み、前記第一の基地局が前記第一のセルの属する基地局であり、
前記確定ユニットは具体的に前記少なくとも一つの第二のセルのダウンリンク同期オフセット情報に基づき、前記ターゲットセルのダウンリンク同期情報を確定するように構成されることを特徴とする
請求項２２に記載の端末。
【請求項２４】
基地局であって、
第一の指示情報を確定するように構成され、前記第一の指示情報が、第二の周波数帯域を使用する第二のセルでデータを伝送するように前記第一の指示情報を受信した端末に指示することに用いられ、前記基地局が第一の周波数帯域を使用する第一のセルの属する基地局である確定ユニットと、
前記第一のセルを介して前記第一の指示情報を送信するように構成される送受信ユニットとを備える、基地局。
【請求項２５】
前記第一の指示情報がページング情報、又は前記ページング情報とターゲットセルの配置情報であり、前記第一の指示情報が前記第二の周波数帯域情報及び／又はターゲット基地局情報及び／又はターゲットセル情報を含み、前記第二のセルが前記ターゲットセルを含み、前記ターゲット基地局が前記ターゲットセルの属する基地局であり、
前記送受信ユニットは具体的に前記第一のセルを介して前記ページング情報を送信するように構成され、又は、
前記送受信ユニットは具体的に前記第一のセルを介して前記ページング情報と前記ターゲットセルの配置情報を送信するように構成されることを特徴とする
請求項２４に記載の基地局。
【請求項２６】
前記第一の指示情報は前記第二のセルのシステム情報であり、前記第二のセルのシステム情報が前記第二のセルの周波数帯域情報及び／又は前記第二のセルの属する基地局情報及び／又は前記第二のセル情報を含み、
前記送受信ユニットはさらに少なくとも一つの第二の基地局によって送信された少なくとも一つの第二のセルのシステム情報を受信するように構成され、前記少なくとも一つの第二のセルのシステム情報が前記少なくとも一つの第二のセルと一対一で対応し、
送受信ユニットは具体的に、前記第一のセルを介して前記少なくとも一つの第二のセルのシステム情報を送信するように構成されることを特徴とする
請求項２４に記載の基地局。
【請求項２７】
前記送受信ユニットはさらに前記第一のセルを介してアップリンク同期情報を送信するように構成され、前記アップリンク同期情報が前記基地局によってターゲット基地局から取得され、前記アップリンク同期情報が前記ターゲット基地局によって前記端末が前記第二の周波数帯域で前記ターゲット基地局に送信したアップリンク同期リクエストに応じて確定され、ここで、前記ターゲット基地局が前記ターゲットセルの属する基地局であり、前記ターゲットセルが前記端末によって前記少なくとも一つの第二のセルから確定されることを特徴とする
請求項２４乃至２６のいずれか一項に記載の基地局。
【請求項２８】
前記送受信ユニットはさらに前記第一のセルを介して前記端末へ前記第一のセルのダウンリンク同期情報を送信するように構成されることを特徴とする
請求項２４乃至２６のいずれか一項に記載の基地局。
【請求項２９】
前記送受信ユニットはさらに前記第一のセルを介して前記端末へ前記少なくとも一つの第二のセルに対応する少なくとも一つのダウンリンク同期オフセット情報を送信するように構成され、各ダウンリンク同期オフセット情報が対応する第二のセルのタイミングと前記第一のセルのタイミングの間の時間オフセット量を含むことを特徴とする
請求項２８に記載の基地局。
【請求項３０】
基地局であって、
第一の基地局へ第二のセルのシステム情報を送信するように構成され、前記システム情報が前記第二のセルのシステムパラメータを示すことに用いられ、前記第二のセルに対応する搬送波周波数が第二の周波数帯域に属し、前記第一の基地局が第一の周波数帯域を使用する第一のセルの属する基地局であり、前記基地局に前記第二のセルと前記第一のセルとの対応関係が予め記憶される送受信ユニットを備え、
前記送受信ユニットがさらに前記第二のセルを介して前記端末とデータ伝送を行うように構成される、基地局。
【請求項３１】
前記送受信ユニットはさらに前記第二の周波数帯域で前記端末から送信されたアップリンク同期リクエストを受信するように構成され、前記アップリンク同期リクエストが前記端末と前記第二のセルのアップリンク同期情報を取得することに用いられ、
前記送受信ユニットはさらに前記アップリンク同期リクエストに応じて前記アップリンク同期情報を確定し、且つ前記第一の基地局へ前記アップリンク同期情報を送信するように構成されることを特徴とする
請求項３０に記載の基地局。
【発明の詳細な説明】
【技術分野】
【０００１】
本発明は通信分野に関し、且つより具体的には、データ伝送のための方法、端末と基地局に関する。
【背景技術】
【０００２】
移動通信のデータ伝送レート、通信品質などの要求が高くなることにつれ、高周波数帯域の広帯域幅が無線通信に導入されている。端末は低周波数帯域の狭帯域幅のセルを介してシステム情報又はページング情報などのダウンリンク制御シグナリングを受信し、高周波数帯域の広帯域幅のセルを介して高速データ伝送を行うことができる。
【０００３】
現在、アイドル状態の端末が高周波数帯域の広帯域幅のリンクを介してダウンリンクシグナリングを受信することによって引き起こされる、大きな受信電力を消費する問題を回避するために、端末が低周波数帯域の狭帯域幅のセルに滞在し、アイドル状態に入り、低周波数帯域でシステム情報とページング情報を受信することができるという技術が知られている。端末がアップリンクデータを送信する場合、端末が高周波数帯域の広帯域幅のセルにアクセスすることにより、高速データ伝送を行うことができる。
【０００４】
しかし、端末が高周波数帯域の広帯域幅のセルを介して高速データ伝送を行うために、端末がセルにアクセスすることが必要があり、それによって高速データ伝送を開始するプロセスが長く、シグナリングオーバーヘッドが大きい。
【発明の概要】
【発明が解決しようとする課題】
【０００５】
本発明は、端末が同時に低周波数帯域セルと高周波数帯域セルと同期を維持し、低周波数帯域セルから送信されたダウンリンク制御シグナリングを受信でき、且つ高速データ伝送を行う必要がある時に、できるだけ早く高周波数帯域セルにアクセスし、又は高周波数帯域セルとデータ伝送を行い、それによって高速データサービスのプロセス及びシグナリングオーバーヘッドを低減させる、データ伝送のための方法及び装置を提供する。
【課題を解決するための手段】
【０００６】
第一の態様では、本発明はデータ伝送のための方法を提供する。前記方法は、端末がデータを伝送しない時に、第一の周波数帯域を使用する第一のセルで第一の指示情報を受信し、前記第一の指示情報が、データを伝送する必要がある時に第二の周波数帯域を使用してデータを伝送するように前記第一の指示情報を受信した端末に指示することに用いられることと、前記端末が前記第一の指示情報に基づき、データ伝送を行う必要がある時に第二の周波数帯域を使用する第二のセルでデータ伝送を行うこととを含む。
【０００７】
ここで、端末が非データ伝送状態にあることは、該端末がアイドル状態にあり、又は該端末のコンテキストが依然として前のサービング基地局で維持されるが、該端末がセル選択又はセル再選ルールによって移動管理を行うことができると理解されてもよい。言い換えれば、該端末の移動性はネットワークによって直接制御されない。
【０００８】
端末が第一の周波数帯域でターゲットセルとの同期を予め完成させることにより、データ伝送を行う必要がある時に、ターゲットセルとデータ伝送を行い、端末が高周波数帯域に滞在してダウンリンク制御シグナリングを受信することによって引き起こされ得る高い電力消費を回避し、同時に、ターゲットセルとの同期を予め完成させることにより、データ伝送を行う必要がある時に、ターゲットセルとデータ伝送を行うことができ、従来技術と比較し、従来技術におけるセルアクセスプロセスを大幅に減少し、シグナリングオーバーヘッドを削減させる。
【０００９】
第一の態様と組み合わせ、第一の態様の第一の可能な実施形態では、前記端末が前記第一の指示情報に基づき、データ伝送を行う必要がある時に第二の周波数帯域を使用する第二のセルでデータ伝送を行うことは、前記端末が前記第一の指示情報に基づき、前記第二の周波数帯域を使用する一つ又は複数の第二のセルをターゲットセルとして確定することと、前記端末が前記ターゲットセルとセル同期を行うことと、前記端末がデータ伝送を行う必要がある時に、前記第二の周波数帯域を使用して前記ターゲットセルとデータ伝送を行うこととを含む。
【００１０】
端末がセル選択又はセル再選ルールに従って一つ又は複数の第二のセルをターゲットセルとして確定することにより、ターゲットセルとデータ伝送を行う。
【００１１】
第一の態様又はその上記の可能な実施形態と組み合わせ、第一の態様の第二の可能な実施形態では、前記第一の指示情報が第一の基地局によって前記第一のセルを介して送信されたページング情報、又は前記ページング情報とターゲットセルの配置情報であり、前記第一の指示情報が前記第二の周波数帯域情報及び／又は前記ターゲットセルの属する基地局情報及び／又は前記ターゲットセル情報を含み、前記第一の基地局が前記第一のセルの属する基地局であり、及び、前記端末が前記第一の指示情報に基づき、前記第二の周波数帯域を使用する一つ又は複数の第二のセルをターゲットセルとして確定することは、前記端末が前記ページング情報に基づいて前記ターゲットセルを確定すること、又は、前記端末が前記ページング情報と前記ターゲットセルの配置情報に基づき、前記ターゲットセルを確定することを含む。
【００１２】
ダウンリンクデータ伝送を行う必要がある場合、第一の基地局は、端末がデータ伝送を行う必要がある第二の周波数帯域情報及び／又はターゲット基地局情報及び／又はターゲットセル情報をページング情報によって示すことができる。又は、第一の基地局は、端末がデータ伝送を行う必要がある第二の周波数帯域情報及び／又はターゲット基地局情報及び／又はターゲットセル情報をページング情報とターゲットセルの配置情報によって示すことができ、これにより、端末はより小さい範囲内でターゲットセルをサーチし、ターゲットセルの確定効率を向上させることができる。
【００１３】
第一の態様又はその上記の可能な実施形態と組み合わせ、第一の態様の第三の可能な実施形態では、前記第一の指示情報が第一の基地局によって前記第一のセルを介して送信された第二のセルのシステム情報であり、前記第二のセルのシステム情報が前記第二のセルの周波数帯域情報及び／又は前記第二のセルの属する基地局情報及び／又は前記第二のセル情報を含み、前記第一の基地局が第一のセルの属する基地局であり、及び、前記端末がデータを伝送しない時に、第一の周波数帯域を使用する第一のセルで第一の指示情報を受信することは、前記端末が前記第一の周波数帯域を使用する前記第一のセルで少なくとも一つの第二のセルのシステム情報を受信し、前記少なくとも一つの第二のセルのシステム情報が少なくとも一つの第二のセルと一対一で対応することを含み、前記端末が前記第一の指示情報に基づき、前記第二の周波数帯域を使用する一つ又は複数の第二のセルをターゲットセルとして確定することは、前記端末が前記少なくとも一つの第二のセルのシステム情報に基づき、前記少なくとも一つの第二のセルから一つ又は複数の第二のセルを前記ターゲットセルとして確定することを含む。
【００１４】
アップリンクデータ伝送を行う必要がある場合、端末はシステム情報に示される第二の周波数帯域情報及び／又は第二の基地局情報及び／又は第二のセル情報により、セル選択又はセル再選ルールに従ってターゲットセルを確定してアップリンクデータ伝送を行うことができる。
【００１５】
第一の態様又はその上記の可能な実施形態と組み合わせ、第一の態様の第四の可能な実施形態では、前記端末が前記ターゲットセルとセル同期を行うことは、前記端末が前記第二の周波数帯域で、前記ターゲットセルの属するターゲット基地局へアップリンク同期リクエストを送信し、前記アップリンク同期リクエストが前記端末と前記ターゲットセルのアップリンク同期情報を取得することに用いられることと、前記端末が前記第一のセルでアップリンク同期情報を受信し、前記アップリンク同期情報が前記第一の基地局によって前記ターゲット基地局から取得され、前記アップリンク同期情報が前記ターゲット基地局によって前記アップリンク同期リクエストに応じて確定され、前記第一の基地局が前記第一のセルの属する基地局であることと、前記端末が前記アップリンク同期情報に基づき、前記ターゲットセルとアップリンク同期を行うこととを含む。
【００１６】
端末は第一の指示情報に示される第二の周波数帯域でアップリンク同期リクエストを送信し、ターゲットセルと端末のアップリンク同期情報を取得し、ターゲットセルとアップリンク同期を行うことができる。
【００１７】
第一の態様又はその上記の可能な実施形態と組み合わせ、第一の態様の第五の可能な実施形態では、前記端末が前記ターゲットセルとセル同期を行うことは、前記端末が前記第一のセルで前記第一のセルのダウンリンク同期情報を受信することと、前記端末が前記ターゲットセルのダウンリンク同期情報を確定することと、前記端末が前記ターゲットセルのダウンリンク同期情報に基づき、前記ターゲットセルとダウンリンク同期を行うこととを含む。
【００１８】
第一の態様又はその上記の可能な実施形態と組み合わせ、第一の態様の第六の可能な実施形態では、前記端末が前記ターゲットセルのダウンリンク同期情報を確定することは、前記端末が前記第一の基地局によって前記第一のセルを介して送信された、前記少なくとも一つの第二のセルに対応する少なくとも一つのダウンリンク同期オフセット情報を受信し、各ダウンリンク同期オフセット情報が対応する第二のセルのタイミングと前記第一のセルのタイミングの間の時間オフセット量を含み、前記第一の基地局が前記第一のセルの属する基地局であることと、前記端末が前記少なくとも一つの第二のセルのダウンリンク同期オフセット情報に基づき、前記ターゲットセルのダウンリンク同期情報を確定することとを含む。
【００１９】
端末は第一の基地局から第一のセルのダウンリンク同期情報とターゲットセルのダウンリンク同期情報を取得し、ターゲットセルとダウンリンク同期を行うことができる。
【００２０】
第二の態様では、本発明はデータ伝送のための方法を提供する。前記方法は、第一の基地局が第一の指示情報を確定し、前記第一の指示情報が、第二の周波数帯域を使用する第二のセルでデータを伝送するように前記第一の指示情報を受信した端末に指示することに用いられ、前記第一の基地局が第一の周波数帯域を使用する第一のセルの属する基地局であることと、前記第一の基地局が前記第一のセルを介して前記第一の指示情報を送信することとを含む。
【００２１】
端末が第一の周波数帯域でターゲットセルとの同期を予め完成させることにより、データ伝送を行う必要がある時に、ターゲットセルとデータ伝送を行い、端末が高周波数帯域に滞在してダウンリンク制御シグナリングを受信することによって引き起こされ得る高い電力消費を回避し、同時に、ターゲットセルとの同期を予め完成させることにより、データ伝送を行う必要がある時に、ターゲットセルとデータ伝送を行うことができ、従来技術と比較し、従来技術におけるセルアクセスプロセスを大幅に減少し、シグナリングオーバーヘッドを削減させる。
【００２２】
第二の態様と組み合わせ、第二の態様の第一の可能な実施形態では、前記第一の指示情報がページング情報、又は前記ページング情報とターゲットセルの配置情報であり、前記第一の指示情報が前記第二の周波数帯域情報及び／又はターゲット基地局情報及び／又は前記ターゲットセル情報を含み、前記第二のセルが前記ターゲットセルを含み、前記ターゲット基地局が前記ターゲットセルの属する基地局であり、及び、前記第一の基地局が前記第一のセルを介して第一指示情報を送信することは、前記第一の基地局が前記第一のセルを介して前記ページング情報を送信すること、又は、前記第一の基地局が前記第一のセルを介して前記ページング情報と前記ターゲットセルの配置情報を送信することを含む。
【００２３】
ダウンリンクデータ伝送を行う必要がある場合、第一の基地局は端末がデータ伝送を行う必要がある第二の周波数帯域情報及び／又はターゲット基地局情報及び／又はターゲットセル情報をページング情報によって示すことができる。
【００２４】
第二の態様又はその上記の可能な実施形態と組み合わせ、第二の態様の第二の可能な実施形態では、前記第一の指示情報は前記第二のセルのシステム情報であり、前記第二のセルのシステム情報が前記第二のセルの周波数帯域情報及び／又は前記第二のセルの属する基地局情報及び／又は前記第二のセル情報を含み、及び、前記第一の基地局が前記第一のセルを介して第一の指示情報を送信することは、前記第一の基地局が少なくとも一つの第二の基地局によって送信された少なくとも一つの第二のセルのシステム情報を受信し、前記少なくとも一つの第二のセルのシステム情報が前記少なくとも一つの第二のセルと一対一で対応することと、前記第一の基地局が前記第一のセルを介して前記少なくとも一つの第二のセルのシステム情報を送信することとを含む。
【００２５】
アップリンクデータ伝送を行う必要がある場合、端末は、システム情報に示される第二の周波数帯域情報及び／又は第二の基地局情報及び／又は第二のセル情報により、セル選択又はセル再選ルールに従ってターゲットセルを確定してアップリンクデータ伝送を行うことができる。
【００２６】
第二の態様又はその上記の可能な実施形態と組み合わせ、第二の態様の第三の可能な実施形態では、前記方法はさらに、前記第一の基地局が前記第一のセルを介してアップリンク同期情報を送信し、前記アップリンク同期情報が前記第一の基地局によってターゲット基地局から取得され、前記アップリンク同期情報が前記ターゲット基地局によって前記端末が前記第二の周波数帯域で前記ターゲット基地局に送信したアップリンク同期リクエストに応じて確定され、ここで、前記ターゲット基地局が前記ターゲットセルの属する基地局であり、前記ターゲットセルが前記端末によって前記少なくとも一つの第二のセルから確定されることを含む。
【００２７】
端末は第一の指示情報に示される第二の周波数帯域でアップリンク同期リクエストを送信し、ターゲットセルと端末のアップリンク同期情報を取得し、ターゲットセルとアップリンク同期を行うことができる。
【００２８】
第二の態様又はその上記の可能な実施形態と組み合わせ、第二の態様の第四の可能な実施形態では、前記方法はさらに、前記第一の基地局が前記第一のセルを介して前記端末へ前記第一のセルのダウンリンク同期情報を送信することを含む。
【００２９】
第二の態様又はその上記の可能な実施形態と組み合わせ、第二の態様の第五の可能な実施形態では、前記方法はさらに、前記第一の基地局が前記第一のセルを介して前記端末へ前記少なくとも一つの第二のセルに対応する少なくとも一つのダウンリンク同期オフセット情報を送信し、各ダウンリンク同期オフセット情報が対応する第二のセルのタイミングと前記第一のセルのタイミングの間の時間オフセット量を含むことを含む。
【００３０】
端末は第一の基地局から第一のセルのダウンリンク同期情報とターゲットセルのダウンリンク同期情報を取得し、ターゲットセルとダウンリンク同期を行うことができる。
【００３１】
第三の態様では、本発明はデータ伝送のための方法を提供する。前記方法は、第二の基地局が第一の基地局へ第二のセルのシステム情報を送信し、前記システム情報が前記第二のセルのシステムパラメータを示すことに用いられ、前記第二のセルに対応する搬送波周波数が第二の周波数帯域に属し、前記第一の基地局が第一の周波数帯域を使用する第一のセルの属する基地局であり、前記第二の基地局に前記第二のセルと前記第一のセルとの対応関係が予め記憶されることと、前記第二の基地局が前記第二のセルを介して前記端末とデータ伝送を行うこととを含む。
【００３２】
第三の態様と組み合わせ、第三の態様の第一の可能な実施形態では、前記方法はさらに、前記第二の基地局が前記第二の周波数帯域で前記端末から送信されたアップリンク同期リクエストを受信し、前記アップリンク同期リクエストが前記端末と前記第二のセルのアップリンク同期情報を取得することに用いられることと、前記第二の基地局が前記アップリンク同期リクエストに応じて前記アップリンク同期情報を確定し、且つ前記第一の基地局へ前記アップリンク同期情報を送信することとを含む。
【００３３】
第二の基地局は第二の周波数帯域で受信された、端末から送信されたアップリンク同期リクエストにより、端末へアップリンク同期情報を送信し、第二の基地局が端末とアップリンク同期を行うようにすることができる。
【００３４】
第四の態様では、本発明は、第一の態様又は第一の態様のいずれかの可能な実施形態における方法を実行するための端末を提供する。具体的には、該端末は第一の態様又は第一のいずれかの可能な実施形態における方法を実行するためのユニットを備える。
【００３５】
第五の態様では、本発明は、第二の態様又は第二の態様のいずれかの可能な実施形態における方法を実行するための基地局を提供する。具体的には、該基地局は第二の態様又は第二のいずれかの可能な実施形態における方法を実行するためのユニットを備える。
【００３６】
第六の態様では、本発明はさらに第三の態様又は第三の態様のいずれかの可能な実施形態における方法を実行するための基地局を提供する。具体的には、該基地局は第三の態様又は第三のいずれかの可能な実施形態における方法を実行するためのユニットを備える。
【００３７】
第七の態様では、本発明は端末を提供する。該端末は、送受信機、プロセッサ、メモリとバスシステムを備える。ここで、送受信機、メモリとプロセッサはバスシステムを介して接続され、メモリは命令を記憶するように構成され、該プロセッサは該メモリに記憶された命令を実行し、信号を受信及び送信するように送受信機を制御するように構成され、且つ該プロセッサが該メモリに記憶された命令を実行する場合、該実行により該プロセッサが第一の態様又は第一の態様のいずれかの可能な実施形態における方法を実行する。
【００３８】
第八の態様では、本発明は基地局を提供する。該基地局は、送受信機、メモリ、プロセッサとバスシステムを備える。ここで、送受信機、メモリとプロセッサはバスシステムを介して接続され、メモリは命令を記憶するように構成され、該プロセッサは該メモリに記憶された命令を実行し、信号を受信及び送信するように送受信機を制御するように構成され、且つ該プロセッサが該メモリに記憶された命令を実行する場合、該実行により該プロセッサが第二の態様又は第二の態様のいずれかの可能な実施形態における方法を実行する。
【００３９】
第九の態様では、本発明はさらに基地局を提供する。該基地局は、送受信機、メモリ、プロセッサとバスシステムを備える。ここで、送受信機、メモリとプロセッサはバスシステムを介して接続され、メモリは命令を記憶するように構成され、該プロセッサは該メモリに記憶された命令を実行し、信号を受信及び送信するように送受信機を制御するように構成され、且つ該プロセッサが該メモリに記憶された命令を実行する場合、該実行により該プロセッサが第三の態様又は第三の態様のいずれかの可能な実施形態における方法を実行する。
【００４０】
第十の態様では、本発明は、第一の態様又は第一の態様のいずれかの可能な実施形態における方法を実行するための命令を含むコンピュータプログラムを記憶することに用いられるコンピュータ可読記憶媒体を提供する。
【００４１】
第十一の態様では、本発明は、第二の態様又は第二の態様のいずれかの可能な実施形態における方法を実行するための命令を含むコンピュータプログラムを記憶することに用いられるコンピュータ可読記憶媒体を提供する。
【００４２】
第十二の態様では、本発明は、第三の態様又は第三の態様のいずれかの可能な実施形態における方法を実行するための命令を含むコンピュータプログラムを記憶することに用いられるコンピュータ可読記憶媒体を提供する。
【００４３】
いくつかの実施形態では、前記ページング情報は前記第二の周波数帯域情報及び／又は前記ターゲットセルの属する基地局（即ち、ターゲット基地局）情報及び／又は前記ターゲットセル情報を含み、前記第一の基地局は前記第一のセルの属する基地局である。
【００４４】
いくつかの実施形態では、前記第二の周波数帯域情報は、周波数帯域情報、帯域幅、閾値、オフセット量のうちの少なくとも一つである。前記ターゲットセルの属する基地局情報はターゲット基地局識別子ＩＤを含む。前記ターゲットセル情報はセルＩＤ、セルアクセス技術のうちの少なくとも一つを含む。
【００４５】
いくつかの実施形態では、前記第二のセルのシステム情報は前記第二のセルの周波数帯域情報及び／又は前記第二のセルの属する基地局情報及び／又は前記第二のセル情報を含む。
【００４６】
いくつかの実施形態では、前記第二の周波数帯域情報は、周波数帯域情報、帯域幅、閾値、オフセット量のうちの少なくとも一つである。第二のセルの属する基地局情報は第二の基地局識別子ＩＤを含む。第二のセル情報はセルＩＤ、セルアクセス技術のうちの少なくとも一つを含む。
【００４７】
いくつかの実施形態では、アップリンク同期リクエスト情報及び送信リソースは前記ターゲット基地局によって確定され、且つ前記第一の基地局を介して送信側に送信され、又は、前記アップリンク同期リクエスト情報は前記第一の基地局によって前記ターゲット基地局にリクエストされ、且つ前記ターゲット基地局が前記アップリンク同期リクエストを確認し且つ前記送信リソースを割り当てた後に、前記第一の基地局によって前記端末に送信される。ここで、前記アップリンク同期リクエスト情報は前記送信リソースの指示情報を含む。
【００４８】
したがって、本発明は、端末が低周波数帯域でダウンリンク制御シグナリングを受信し、且つ高速データ伝送を行う必要がある時に、できるだけ早く高周波数帯域セルにアクセスし、又は高周波数帯域セルとデータ伝送を行い、高速データサービスのプロセス及びシグナリングオーバーヘッドを低減させることができる、データ伝送のための方法、端末と基地局を提供する。
【図面の簡単な説明】
【００４９】
【図１】本発明の実施例の応用シーンを示す図である。
【図２】本発明の実施例によるデータ伝送のための方法の概略フローチャートである。
【図３】本発明の実施例による端末の概略ブロック図である。
【図４】本発明の実施例による基地局の概略ブロック図である。
【図５】本発明の実施例による他の基地局の概略ブロック図である。
【図６】本発明の実施例による端末の他の概略ブロック図である。
【図７】本発明の実施例による基地局の他の概略ブロック図である。
【図８】本発明の実施例による他の基地局の他の概略ブロック図である。
【発明を実施するための形態】
【００５０】
本発明の実施例の技術的解決策をより明確に説明するために、以下に本発明の実施例に必要な図面を簡単に説明し、明らかに、以下に記載される図面は本発明のいくつかの実施例に過ぎず、当業者であれば、創造的な労力を要することなく、これらの図面に基づいて他の図面を得ることができる。
【００５１】
以下に本発明の実施例の図面を組み合わせながら、本発明の実施例に係る技術的解決策を明確で、全面的に説明し、明らかに、説明した実施例は本発明の一部の実施例に過ぎず、全ての実施例ではない。本発明の実施例に基づき、当業者が創造的な労力を要せずに得た他の実施例は、全て本発明の保護範囲に属する。
【００５２】
理解すべきものとして、本発明の実施例の技術的解決策は、様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、高度な長期進化型（ＬＴＥ−Ａ：Ａｄｖａｎｃｅｄ  ｌｏｎｇ  Ｔｅｒｍ  Ｅｖｏｌｕｔｉｏｎ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）などに応用されてもよい。
【００５３】
また、理解すべきものとして、ユーザ装置（ＵＥ：Ｕｓｅｒ  Ｅｑｕｉｐｍｅｎｔ）は、移動局（ＭＳ：Ｍｏｂｉｌｅ  Ｓｔａｔｉｏｎ）、移動端末（Ｍｏｂｉｌｅ  Ｔｅｒｍｉｎａｌ）、移動電話（Ｍｏｂｉｌｅ  Ｔｅｌｅｐｈｏｎｅ）、携帯電話（ｈａｎｓｅｔ）、固定局（Ｆｉｘｅｄ  Ｓｔａｔｉｏｎ）、固定端末（Ｆｉｘｅｄ  Ｔｅｒｍｉｎａｌ）及びポータブル装置（ｐｏｒｔａｂｌｅ  ｅｑｕｉｐｍｅｎｔ）などを含むがこれらに限定されず、該ユーザ装置は無線アクセスネットワーク（ＲＡＮ：Ｒａｄｉｏ  Ａｃｃｅｓｓ  Ｎｅｔｗｏｒｋ）を介して一つ又は複数のコアネットワークと通信を行うことができ、例えば、ユーザ装置は移動電話（又は「セルラー電話」と呼ばれる）、無線通信機能を有するコンピュータなどであってもよく、ユーザ装置はさらにポータブル、ポケット、ハンドヘルド、コンピュータ一内蔵、計器内蔵又は車載モバイルデバイスであってもよい。
【００５４】
図１は本発明の実施例の応用シーンを示す図である。図１に高低周波数ハイブリッド型ネットワークシステムが示され、低周波数基地局１１、少なくとも一つの高周波数基地局１２と端末１３を備える。
【００５５】
本発明の実施例では、低周波数基地局１１の周波数帯域が高周波数基地局１２の周波数帯域より低い。ここで、低周波数基地局１１に使用される周波数帯域が６ＧＨｚ未満の低周波数帯域、例えば２ＧＨｚ、５ＧＨｚであってもよい。高周波数基地局１２に使用される周波数帯域はミリ波周波数帯域（即ち６ＧＨｚを超える）に表される高周波数帯域であってもよく、例えば、高周波数基地局１２に使用される周波数ポイントは７２ＧＨｚ、２８ＧＨｚ又は１４ＧＨｚであってもよい。
【００５６】
ここで、低周波数基地局１１は一つの広い範囲をカバーし、高周波数基地局１２は低周波数基地局のカバレッジ内でホットスポットのカバーを行い、ホットスポットエリアのキャパシティを増加する。端末１３には、一般的に低周波数送受信機に過ぎず、高周波数送受信機も設けられ、低周波数送受信機が低周波数基地局１１とデータ通信を行うことに用いられ、高周波数送受信機が高周波数基地局１２とデータ通信を行うことに用いられる。
【００５７】
端末１３は低周波数セルに滞在し、低周波数基地局１１から送信されたダウンリンク制御シグナリングを受信することができ、該ダウンリンク制御シグナリングが低周波数セル及び高周波数セルのダウンリンク制御シグナリング、例えばシステム情報、ページング情報などを含み、同時に端末は低周波数基地局１１から受信された高周波数セルのシステム情報、ページング情報に基づき、高周波数基地局１２とデータ伝送を行うことができる。
【００５８】
理解すべきものとして、低周波数及び高周波数は、セルに対応する搬送波周波数の属する周波数帯域を区分するためのものに過ぎず、低周波数セルに対応する搬送波周波数が低周波数帯域に属し、高周波数セルに対応する搬送波周波数が高周波数帯域に属し、低周波数基地局が低周波数セルの基地局であり、高周波数基地局が高周波数セルの基地局である。即ち、基地局に対して、低周波数と高周波数の違いはそれに使用される搬送波の所在する周波数帯域が異なることにある。したがって、低周波数基地局と高周波数基地局は同一の基地局であってもよく、低周波数セルで低周波数帯域の搬送波周波数を使用してデータを受信及び送信し、高周波数セルで高周波数帯域の搬送波周波数を使用してデータを受信及び送信することができ、低周波数基地局と高周波数基地局は異なる基地局であってもよく、低周波数基地局は低周波数帯域の搬送波周波数を受信及び送信し、高周波数基地局は高周波数帯域の搬送波周波数を受信及び送信する。本発明は特にこれに限定されない。
【００５９】
本発明の実施例では、区分及び説明を容易にするために、低周波数基地局を第一の基地局として記述し、低周波数セルを第一のセルとして記述し、高周波数基地局を第二の基地局として記述し、高周波数セルを第二のセルとして記述することができる。第一のセルの第一の基地局のカバレッジ内で、少なくとも一つの第二のセルが配置されてもよく、各第二のセルが一つのサービング基地局に対応することができ、又は、複数の第二のセルが一つのサービング基地局（即ち第二の基地局）を共同で使用することもできる。
【００６０】
理解すべきものとして、「第一」と「第二」が低周波数と高周波数を区分するためのものに過ぎず、本発明に対していかなる限定をも構成に加えるべきではない。例えば、高周波数基地局を第一の基地局として記述し、高周波数セルを第一のセルとして記述し、低周波数基地局を第二の基地局として記述し、低周波数セルを第二のセルとして記述することができる。また、理解すべきものとして、該第一の基地局と第二の基地局は異なる基地局であってもよいし、同じ基地局であってもよい。
【００６１】
本発明の実施例では、端末は、第二の周波数帯域でデータを伝送することを確定した後に、第二の周波数帯域で該少なくとも一つの第二のセルの各々から送信されたシステム情報を受信することができる。端末はセル選択又はセル再選ルールに従って少なくとも一つの第二のセルから該端末とのデータ伝送のためのセルを確定する。区分及び説明を容易にするために、該端末によって確定されたセルをターゲットセルとして記述し、該ターゲットセルのサービング基地局をターゲット基地局として記述する。理解すべきものとして、ターゲット基地局と第二の基地局はいずれも高周波数基地局であってもよく、ターゲット基地局と第二の基地局は端末とのデータ伝送に用いられる基地局であるか否かを区分するためのものに過ぎない。ターゲット基地局は相対的である。例えば、端末Ａに対して、基地局Ａはターゲット基地局であってもよく、端末Ｂに対して、基地局Ｂはターゲット基地局であってもよい。
【００６２】
理解すべきものとして、該ターゲットセルは少なくとも一つの第二のセルにおける他のセルと一つのサービング基地局を共同で使用することができ、該ターゲットセルはさらに第一のセルと一つのサービング基地局（即ち第一の基地局）を共同で使用することができ、該ターゲット基地局は該ターゲットセルのサービング基地局だけであってもよく、本発明では基地局とセルとの対応関係が特に限定されない。
【００６３】
理解すべきものとして、以下に示される本発明の実施例では、第一の基地局は第一のセルの属する基地局であり、第二の基地局は第二のセルの属する基地局であり、ターゲット基地局はターゲットセルの属する基地局であるがこれに限定されず、第一の基地局、第二の基地局及びターゲット基地局は他のセルの属する基地局であってもよい。本発明の実施例では、第一の基地局が第一のセルを介して情報を送信し、第二の基地局が第二のセルを介して情報を送信し、及びターゲット基地局がターゲットセルを介して情報を送信することのみを例として例示的に説明するが、本発明に対していかなる限定をも構成に加えるべきではない。例えば、第一の基地局は他の属するセルを介して情報を送信することもでき、本発明は特にこれに限定されない。
【００６４】
以下に、理解及び説明を容易にするために、図２を参照し、第一の基地局と第二の基地局が異なる基地局であることを例とし、本発明の実施例によるデータ伝送のための方法を詳細に説明する。理解すべきものとして、ここで例示された第一の基地局と第二の基地局が異なる基地局である場合は例示的な説明に過ぎず、本発明に対していかなる限定をも構成に加えるべきではなく、第一の基地局と第二の基地局が同一の基地局である場合、依然として方法２００を実行して端末と高周波数基地局とのデータ伝送を実現することができる。
【００６５】
図２は本発明の実施例によるデータ伝送のための方法２００の概略フローチャートである。理解すべきものとして、図２に端末、低周波数基地局（例えば、第一の基地局）と高周波数基地局（例えば、ターゲット基地局）のインタラクションの観点から説明された本発明の実施例によるデータ伝送のための方法の詳細な通信ステップ又は動作が示されるが、これらのステップ又は動作の一例に過ぎず、本発明の実施例はさらに他の動作又は図２における各動作の変形を実行することができる。また、図２における各動作は図２に示す異なる順序に従って実行されてもよく、且つ図２における全ての動作を実行する必要がない可能性がある。
【００６６】
理解すべきものとして、図２に示す端末、第一の基地局と第二の基地局のインタラクションの概略フローチャートは概略的な説明に過ぎず、本発明に対していかなる限定をも構成に加えるべきではない。本発明の実施例では、第一の基地局（即ち、低周波数基地局の一例）は少なくとも一つの高周波数基地局（例えば第二の基地局を含む）と対応関係を有することができ、即ち、低周波数セルに滞在した端末は該少なくとも一つの高周波数基地局とデータ伝送を行うことができる。
【００６７】
図２に示すように、該方法２００は以下のステップを含む。
【００６８】
Ｓ２０２において、端末がデータを伝送しない時に、第一の周波数帯域を使用する第一のセルで第一の指示情報を受信する。
【００６９】
具体的には、端末が非データ伝送状態にあることは、該端末がアイドル状態にあり、又は該端末のコンテキストが依然として前のサービング基地局で維持されるが、該端末がセル選択又はセル再選ルールによって移動管理を行うことができると理解されてもよい。言い換えれば、該端末の移動性はネットワークによって直接制御されない。
【００７０】
ここで、前のサービング基地局は、本発明の実施例における第一の基地局であってもよいし、他の基地局であってもよく、本発明は特にこれに限定されない。
【００７１】
説明すべきものとして、ここで記載される第一のセルは特にある特定のセルを指すものではなく、第一のセルは第一の指示情報を送信するようなセルのうちの何かしらのセルである可能性がある。
【００７２】
具体的には、カバーされる地域をいくつかのエリアに分割し、各エリアに一つのアクセスポイントを設定して本エリア範囲内のユーザにサービスを提供し、このエリアがセルである。該セルの定義は従来のセル概念に適用してもよいし、ビームフォーミング中の一つ又は隣接する複数のビームであってもよく、またエリア内の一つの搬送波であってもよい。
【００７３】
本発明の実施例では、第一の基地局は第一のセル（又は第一の周波数帯域）を介して第一の指示情報を送信し、該第一の指示情報が、第二の周波数帯域でデータを伝送するように端末に指示する。該第一の指示情報を受信した端末は該第一の指示情報に基づき、第二の周波数帯域を使用する第二のセルでデータを伝送することができる。
【００７４】
説明すべきものとして、ここで記載される第二のセルは特にある特定のセルを指すものではなく、第二のセルは該第一の指示情報に示される第二の周波数帯域を使用するセルのうちの何かしらのセルである可能性があり、該第一の指示情報に示されるセルである可能性もある。具体的には、該セルは従来のセルであってもよいし、ビームフォーミング中の一つ又は隣接する複数のビームであってもよく、またエリア内の一つの搬送波であってもよい。
【００７５】
理解すべきものとして、「第一」と「第二」は区分するためのものに過ぎず、本発明に対していかなる限定をも構成に加えるべきではない。また、理解すべきものとして、第一の基地局は第一のセルの属する基地局であり、又は、第一の基地局は第一のセルのサービング基地局であり、第二の基地局は第二のセルの属する基地局であり、又は、第二の基地局は第二のセルのサービング基地局である。第一の基地局は一つのセル、即ち第一のセルに対応してもよく、同時に複数のセルのサービング基地局であってもよく、第二の基地局は一つのセルに対応してもよく、即ち、第二のセルは同時に複数のセルのサービング基地局であってもよい。本発明は特にこれに限定されない。
【００７６】
本発明の実施例では、第一の基地局は、低周波数基地局の一例として、一つの広い範囲のエリアをカバーすることができ、第二の基地局は高周波数基地局の一例として、第一の基地局のカバレッジ内でホットスポットカバーを行うことができる。即ち、第一のセルに一つ又は複数の第二のセルが存在する可能性がある。第二のセルのサービング基地局として、各第二の基地局にそれ自体と第一の基地局との対応関係が予め記憶されてもよい。又は、各高周波数基地局にそれ自体と低周波数基地局との対応関係が予め記憶されてもよく、該高周波数基地局のカバレッジが該低周波数基地局のカバレッジ内にある。各高周波数基地局は、該対応関係に応じて、対応する低周波数基地局へ該高周波数基地局にサービスされた高周波数セルのシステム情報又はページング情報を周期的に送信することができる。
【００７７】
言い換えば、第一の基地局のカバレッジ内にある第二の基地局は第一の基地局と上記対応関係を有し、該第一の基地局のカバレッジ内にある少なくとも一つの第二の基地局の各々が基地局間のインタフェースを介して第一の基地局へ本セルのシステム情報又はページング情報を送信することができる。具体的には、第二のセルのシステム情報又はページング情報は周期的にブロードキャストで送信されてもよく、第一の基地局はＸ２インタフェースを介し、又はＸ２インタフェースと同じ又は類似の機能を有するインタフェースを介して第二の基地局から取得することができる。
【００７８】
例えば、第一の基地局のカバレッジ内にある基地局Ａ（即ち第二の基地局の一例）は基地局Ａと第一の基地局の間のインタフェースを介して第一の基地局へセルＡ（即ち第二のセルの一例）のシステム情報又はページング情報を送信することができ、第一の基地局のカバレッジ内にある基地局Ｂ（即ち第二の基地局の他の例）は基地局Ｂと第一の基地局の間のインタフェースを介して第一の基地局へセルＢ（即ち第二のセルの他の例）のシステム情報又はページング情報を送信することができる。
【００７９】
理解すべきものとして、以上に挙げられた基地局間のＸ２インタフェースは例示的な説明に過ぎず、本発明に対していかなる限定をも構成に加えるべきではなく、本発明はＸ２インタフェースと同じ又は類似の機能を有するインタフェースを介して基地局間の通信を行うことを排除しない。
【００８０】
また、理解すべきものとして、以上に挙げられた、第二の基地局が基地局間のインタフェースを介して第一の基地局へ第二のセルのシステム情報又はページング情報を送信する方法は第一の基地局がシステム情報又はページング情報を取得する一つの可能な実施形態に過ぎず、本発明に対していかなる限定をも構成に加えるべきではない。例えば、第一の基地局に第二のセルのシステム情報とページング情報は予め設定されてもよく、第一のセルで周期的にブロードキャストで送信される。
【００８１】
説明すべきものとして、端末が第一の基地局のカバレッジ内にある場合、第一のセル（又は第一の周波数帯域）で第一の基地局のダウンリンク同期信号（区分及び説明を容易にするために、第一のダウンリンク同期信号と記述する）を受信し、第一のセルとダウンリンク同期を行うことができ、且つ、第一のセルとダウンリンク同期を行った後に、第一のセルに滞在する。この時に、端末は第一の基地局によってブロードキャストされたダウンリンク制御命令（例えばシステム情報、ページング情報など）を受信することができる。理解すべきものとして、端末が第一の周波数帯域で第一のセルとダウンリンク同期を行う方法は従来技術と同様であり、簡潔にするために、ここでは説明を省略する
又は、第一の基地局が該端末の前のサービング基地局である場合、該端末のコンテキストが依然として第一の基地局で保持されているので、第一の周波数帯域で第一の基地局から送信されたダウンリンク制御命令を受信することができる。
【００８２】
一般性を失うことなく、第一の基地局は第二の周波数帯域を確定した後に、第一のセルで第一の指示情報をブロードキャストで送信することができ、該第一の指示情報が、第二の周波数帯域を使用する第二のセルとデータ伝送を行うように、該第一のセルのカバレッジ内にある端末（上記端末を含む）又は該第一の指示情報を受信した端末に指示することに用いられる。理解すべきものとして、該第一のセルのカバレッジ内に複数の端末が存在し、各端末は第一の基地局によって第一のセルにおいてブロードキャストで送信された第一の指示情報を受信した後に、それぞれのデータ伝送のためのターゲットセルを確定し、且つそれぞれのターゲットセルとセル同期及びデータ伝送を行うことができる。以上に記載された端末は特にある特定の端末を指すものではなく、該端末は第一の指示情報を受信するようなセルのうちのある端末であってもよい。
【００８３】
Ｓ２０４において、該端末は該第一の指示情報に基づき、第二の周波数帯域を使用する一つ又は複数の第二のセルをターゲットセルとして確定する。
【００８４】
本発明の実施例では、上記の少なくとも一つの第二のセルがターゲットセルを含み、上記システム情報がターゲットセルのシステム情報を含む。該第一の基地局のカバレッジ内に一つだけの第二のセルがある場合、端末は直接該第一の指示情報に基づいて該第二のセルをターゲットセルとして確定し、且つ該ターゲットセルとデータ伝送を行うことができる。第一の基地局のカバレッジ内に２つ又はそれ以上の第二のセルがある場合、端末は、該第一の指示情報に示される第二の周波数帯域に基づき、第二の周波数帯域で該少なくとも一つの第二のセルの各々によって送信されたシステム情報を受信することができる。端末はセル選択又はセル再選ルールに従って上記の少なくとも一つの第二のセルから一つ又は複数の第二のセルをターゲットセルとして確定することができる。端末がセル選択又はセル再選ルールに従ってターゲットセルを確定する方法は従来技術により実現されてもよく、簡潔にするために、ここでは端末がターゲットセルを確定する具体的なプロセスについての詳細な説明を省略する。
【００８５】
理解すべきものとして、該端末はセル選択又はセル再選ルールに従って第二の周波数帯域で一つ又は複数の第二のセルをターゲットセルとして選択することができ、本発明ではターゲットセルの数が特に限定されない。
【００８６】
本発明の実施例では、該第一の基地局によってブロードキャストで送信された第一の指示情報はページング情報、又はページング情報とターゲットセルの配置情報であってもよく、又は、該第一の指示情報はシステム情報であってもよい。
【００８７】
選択可能に、該第一の指示情報は、第一の基地局によって第一のセルを介して送信されたページングメッセージ、又は該ページング情報とターゲットセルの配置情報であり、該第一の指示情報が第二の周波数帯域情報及び／又はターゲットセルの属する基地局（即ちターゲット基地局）情報及び／又はターゲットセル情報を含む。
【００８８】
ここで、第二の周波数帯域情報は、周波数帯域情報、帯域幅、閾値、オフセット量のうちの少なくとも一つである。ターゲットセルの属する基地局情報はターゲット基地局識別子（Ｉｄｅｎｔｉｆｉｅｒ：「ＩＤ」略称）を含む。ターゲットセル情報はセルＩＤ、セルアクセス技術のうちの少なくとも一つを含む。
【００８９】
選択可能に、Ｓ２０４において、該端末が第一の指示情報に基づき、第二の周波数帯域を使用する一つ又は複数の第二のセルをターゲットセルとして確定することは、
該端末が該ページング情報に基づいて該ターゲットセルを確定すること、又は、
該端末が該ページング情報と該ターゲットセルの配置情報に基づき、該ターゲットセルを確定することを含む。
【００９０】
具体的には、ネットワーク側は、端末へダウンリンクデータを送信する必要がある時に、ページング情報を送信して端末に通知することができる。例えば、該ページング情報はコアネットワークによって第一の基地局に直接送信されてもよく、第一の基地局は該ページング情報に基づき、第一のセルで送信されるページング情報を生成する。具体的には、第一の基地局は該ページング情報に基づき、第一の指示情報を生成することができ、該第一の指示情報が第二の周波数帯域情報及び／又はターゲットセルの属する基地局（即ちターゲット基地局）情報及び／又はターゲットセル情報を含み、該第一の指示情報がページング情報の形態で第一のセルで送信される。又は、第一の基地局は第二の周波数帯域情報及び／又はターゲットセルの属する基地局（即ちターゲット基地局）情報及び／又はターゲットセル情報を第一のセルで送信されたページング情報に追加する。該第一の基地局は第一のセルで該ページング情報を送信し、端末が該ページング情報を受信する時に、ターゲットセルを確定し、さらにターゲットセルとデータ伝送を行うようにする。
【００９１】
さらに第一の基地局はコアネットワークから送信されたページング情報を受信した後、ページングエリアに応じてターゲットセルの配置情報を確定し、且つ該ページングメッセージとターゲットセルの配置情報に基づき、第一の指示情報を生成することができる。端末は該第一の指示情報を受信した後、ページング情報及びターゲットセルの配置情報に基づき、より小さい範囲内でターゲットセルをサーチし、ターゲットセルとデータ伝送を行うことができる。例えば、ページング情報に示されるページングエリアが第二の周波数帯域の５つの第二のセルであり、該ターゲットセルの配置情報が、該ターゲットセルの範囲が上記の５つの第二のセルのうちの３つの第二のセルにあり、これにより端末がターゲットセルをサーチする範囲が小さくなり、端末がターゲットセルを確定する効率を向上させることができる。
【００９２】
選択可能に、該第一の指示情報は第一の基地局によって第一のセルを介して送信された第二のセルのシステム情報であり、該システム情報は第二の周波数帯域情報及び／又は第二のセルの属する基地局（即ち第二の基地局）情報及び／又は第二のセル情報を含み、及び、
Ｓ２０２において、端末がデータを伝送しない時に、第一の周波数帯域を使用する第一のセルで第一の指示情報を受信することは、
該端末が該第一の周波数帯域を使用する該第一のセルで少なくとも一つの第二のセルのシステム情報を受信し、該少なくとも一つの第二のセルのシステム情報が少なくとも一つの第二のセルと一対一で対応することを含み、
ここで、第二の周波数帯域情報は、周波数帯域情報、帯域幅、閾値、オフセット量のうちの少なくとも一つである。第二のセルの属する基地局情報は第二の基地局識別子ＩＤを含む。第二のセル情報はセルＩＤ、セルアクセス技術のうちの少なくとも一つを含む。理解すべきものとして、以上に挙げられた第二の周波数帯域情報、セル（ターゲットセルと第二のセルを含む）の属する基地局情報及びセル（ターゲットセルと第二のセルを含む）情報の具体的な内容は例示的な説明に過ぎず、本発明に対していかなる限定をも構成に加えるべきではなく、本発明もこれに限定されるべきではない。
【００９３】
選択可能に、Ｓ２０４において、該端末が第一の指示情報に基づき、第二の周波数帯域を使用する一つ又は複数の第二のセルをターゲットセルとして確定することは、
該端末が該少なくとも一つの第二のセルのシステム情報に基づき、該少なくとも一つの第二のセルから一つ又は複数の第二のセルをターゲットセルとして確定することを含む。
【００９４】
該端末は該少なくとも一つの第二のセルのシステム情報に基づき、セル選択又はセル再選ルールに従って該少なくとも一つの第二のセルから一つ又は複数の第二のセルをターゲットセルとして確定する。
【００９５】
限定ではなく一例として、該アクセス技術は、長期進化型システム（Ｌｏｎｇ  Ｔｅｒｍ  Ｅｖｏｌｕｔｉｏｎ：「ＬＴＥ」と略称）技術、ワイヤレスフィデリティ：「Ｗｉ−Ｆｉ」と略称）、汎用移動通信サービス（Ｕｎｉｖｅｒｓａｌ  Ｍｏｂｉｌｅ  Ｔｅｌｅｃｏｍｍｕｎｉｃａｔｉｏｎｓ  Ｓｅｒｖｉｃｅ：「ＵＭＴＳ」と略称）技術又は第５世代のモバイル通信（５Ｇ）技術を含む。
【００９６】
理解すべきものとして、以上に挙げられたアクセス技術は例示的な説明に過ぎず、本発明に対していかなる限定をも構成に加えるべきではなく、本発明もこれに限定されない。端末は従来の他のアクセス技術又は将来の他のアクセス技術により通信することもできる。
【００９７】
Ｓ２０６において、端末はターゲットセルとセル同期を行う。
【００９８】
具体的には、端末が第一の指示情報に基づき、データ伝送を行う必要がある時に第二の周波数帯域を使用する第二のセルでデータ伝送を行う前に、該方法２００はさらに、
端末が第一の指示情報に基づき、ターゲットセルとセル同期を行うことを含む。
【００９９】
端末とターゲットセルとの同期はダウンリンク同期とアップリンク同期に分けられてもよい。
【０１００】
まず、端末はターゲットセルとダウンリンク同期を行う。本発明の実施例では、端末は、直接第二の周波数帯域でターゲット基地局によって周期的にブロードキャストされたダウンリンク同期信号（区分及び説明を容易にするために、ターゲットダウンリンク同期信号と記述する）を受信してターゲットセルとダウンリンク同期を行うことができ、第一の周波数帯域で第一の基地局によって送信されたターゲットセルのダウンリンク同期情報を受信し、該ダウンリンク同期情報に基づいてターゲットセルとダウンリンク同期を行うこともできる。以下に、端末がターゲットセルとダウンリンク同期を行う具体的なプロセスを詳細に説明する。
【０１０１】
一つの実施形態では、該端末が該ターゲットセルとダウンリンク同期を行う時に、具体的に、
該端末が該第一の指示情報に基づき、該第二の周波数帯域で該少なくとも一つの第二の基地局によって送信された少なくとも一つのダウンリンク同期信号を受信し、該少なくとも一つのダウンリンク同期信号が該少なくとも一つの第二の基地局と一対一で対応し、各ダウンリンク同期信号が対応する第二の基地局からのものであることと、
該端末が該少なくとも一つのダウンリンク同期信号から該ターゲットセルのダウンリンク信号を確定することと、
該端末が該ターゲットセルのダウンリンク同期信号に基づき、該ターゲットセルとダウンリンク同期を行うこととを含む。
【０１０２】
具体的には、各第二の基地局（上記ターゲット基地局を含む）は第二の周波数帯域で各第二のセルのダウンリンク同期信号、例えばプライマリ同期信号（Ｐｒｉｍａｒｙ  Ｓｙｎｃｈｒｏｎｉｚａｔｉｏｎ  Ｓｉｇｎａｌ：「ＰＳＳ」と略称）とセカンダリ同期信号（Ｓｅｃｏｎｄａｒｙ  Ｓｙｎｃｈｒｏｎｉｚａｔｉｏｎ  Ｓｉｇｎａ：「ＳＳＳ」と略称）を周期的にブロードキャストすることができる。
【０１０３】
第二の周波数帯域に一つだけの第二のセルが存在する場合、該第二のセルは該端末のターゲットセルである。該端末は第二の周波数帯域で該第二のセルの基地局（即ち、第二の基地局、又はターゲット基地局）によってブロードキャストで送信されたＰＳＳとＳＳＳを受信した後、フレーム同期を完成させ、且つ該ダウンリンク同期信号に対応するセル（即ちターゲットセル）のセル識別子を取得する。これにより、端末とターゲットセルとのダウンリンク同期が完成する。
【０１０４】
第二の周波数帯域で複数の第二のセルが存在する可能性がある場合、各第二のセルの基地局はそれぞれのダウンリンク同期信号（区分及び説明を容易にするために、第二のダウンリンク同期信号と記述する）を周期的にブロードキャストする。ここで、該第二のダウンリンク同期信号はターゲットセルのダウンリンク同期信号を含む。端末は、第二の周波数帯域で複数の第二のセルの第二のダウンリンク同期信号を受信する時に、各第二のセルの第二のダウンリンク同期信号に対応する第二のセルのセル識別子、及び第一の指示情報に示されるターゲットセルのセル識別子又は端末によってセル選択又はセル再選ルールに従って確定されたターゲットセルのセル識別子に基づき、ターゲットセルのダウンリンク同期信号を確定し、ターゲットセルとのダウンリンク同期を完成させることができる。
【０１０５】
他の実施形態では、該端末が該ターゲットセルとダウンリンク同期を行う時に、具体的に、
該端末が該第一のセルで該第一のセルのダウンリンク同期情報を受信することと、
該端末が該ターゲットセルのダウンリンク同期情報を確定することと、
該端末が該ターゲットセルのダウンリンク同期情報に基づき、該ターゲットセルとダウンリンク同期を行うこととを含む。
【０１０６】
ここで、該端末が該ターゲットセルのダウンリンク同期情報を確定することは、
該端末が該第一の基地局によって第一のセルを介して送信された、該少なくとも一つの第二のセルに対応する少なくとも一つのダウンリンク同期オフセット情報を受信し、各ダウンリンク同期オフセット情報が対応する第二のセルのタイミングと該第一のセルのタイミングの間のオフセット量を含むことと、
該端末が該少なくとも一つの第二のセルのダウンリンク同期オフセット情報に基づき、該ターゲットセルのダウンリンク同期情報を確定することとを含む。
【０１０７】
具体的には、端末は第一の基地局から第一のセルのダウンリンク同期情報を受信することができ、該第一のセルのダウンリンク同期情報が端末と第一のセルの間のタイミングの時間オフセット量を示す。端末はさらにターゲットセルのダウンリンク同期情報を確定することができ、該ターゲットセルのダウンリンク同期情報が第一のセルとターゲットセルの間のタイミングの時間オフセット量を示す。
【０１０８】
端末は予め記憶された基地局間の時間オフセット量に基づいてターゲットセルのダウンリンク同期情報を確定することができ、例えば、端末は基地局間の時間オフセット量が２ｍｓであることを知っている。
【０１０９】
端末は第一の基地局によって送信された第二のセルのダウンリンク同期情報に基づいてターゲットセルのダウンリンク同期情報を確定することもできる。具体的には、第一の基地局は端末へ少なくとも一つの第二のセルに対応する少なくとも一つのダウンリンク同期情報を送信し、各ダウンリンク同期情報が対応する第二のセルと第一のセルの間のタイミングの時間オフセット量を含む。端末は確定されたターゲットセルのセル情報に基づき、ターゲットセルの時間オフセット量を確定することができる。
【０１１０】
端末はターゲットセルとダウンリンク同期が完成した後に、さらに該ターゲットセルとアップリンク同期を行うことができる。
【０１１１】
選択可能に、該端末がターゲットセルとアップリンク同期を行う時に、具体的に、
該端末が該第二の周波数帯域で該ターゲットセルの属するターゲット基地局へアップリンク同期リクエストを送信し、該アップリンク同期リクエストが該端末と該ターゲットセルのアップリンク同期情報を取得することに用いられることと、
該端末が該第一のセルでアップリンク同期情報を受信し、該アップリンク同期情報が該第一の基地局によって該ターゲット基地局から取得され、該アップリンク同期情報が該ターゲット基地局によって該アップリンク同期リクエストに応じて確定され、該アップリンク同期情報が該端末と基地局の間のタイミングの時間オフセット量を示すことと、
該端末が該アップリンク同期情報に基づき、該ターゲットセルとアップリンク同期を行うこととを含む。
【０１１２】
ここで、アップリンク同期リクエスト情報及び送信リソース（例えば時間周波数リソース）は該ターゲット基地局によって確定され、且つ該第一の基地局を介して端末に送信され、又は、
該アップリンク同期リクエスト情報は該第一の基地局によって該ターゲット基地局にリクエストされ、且つ該ターゲット基地局で該アップリンク同期リクエストを確認して該リソースを割り当てた後に、該第一の基地局によって端末に送信される。
【０１１３】
ここで、該アップリンク同期リクエスト情報は該送信リソースの指示情報を含む。
【０１１４】
具体的には、端末は、第二の周波数帯域でターゲット基地局へアップリンク同期リクエストを送信する前に、該アップリンク同期リクエストを送信するための時間周波数リソースを知る必要がある。該時間周波数リソースは第一の基地局によってターゲット基地局にリクエストされてもよく、具体的に、第一の基地局によって確定された後、ターゲット基地局にリクエストされ、ターゲット基地局によって指定された後、第一の基地局によって端末へ該時間周波数リソースの指示情報を送信する。該時間周波数リソースは直接ターゲット基地局によって確定され、且つ第一の基地局によって端末へ指示情報を送信することもできる。端末は、時間周波数リソースの指示情報を受信した後、該指定された時間周波数リソースでターゲット基地局へアップリンク同期リクエストを送信することができ、又は、端末は第二の周波数帯域でターゲット基地局へランダムアクセス（Ｒａｎｄｏｍ  Ａｃｃｅｓｓ：「ＲＡ」と略称）リクエストを送信する。ここで、該アップリンク同期リクエストはランダムプリアンブル（Ｒａｎｄｏｍ  Ａｃｃｅｓｓ  Ｐｒｅａｍｂｌｅ）を含むことができる。ターゲット基地局は、該アップリンク同期リクエストを受信した後、受信された該アップリンク同期リクエストに応じてアップリンク同期情報を確定することができる。ここで、該アップリンク同期リクエストが端末のタイミングを示す時に、アップリンク同期情報は端末とターゲット基地局の間のタイミングの時間オフセット量を示す。選択可能に、該時間オフセット量はアップリンク送信時間進み量（Ｔｉｍｅ  Ａｌｉｇｎｍｅｎｔ：「ＴＡ」と略称）であってもよい。端末は、該アップリンク同期情報を受信した後に、該タイミングオフセット量に基づき、アップリンク送信時間を調整し、ターゲットセルとのアップリンク同期を完成させることができ、又は、端末はターゲットセルに対するアップリンク同期を完成させることができる。
【０１１５】
本発明の実施例では、ターゲット基地局から端末に送信されたアップリンク同期情報は第一の基地局を介して転送されてもよく、即ち、端末は第一の周波数帯域で第一の基地局から送信されたターゲットセルのアップリンク同期情報を受信し、該ターゲットセルのアップリンク同期情報が該第一の基地局によってターゲット基地局から取得される。
【０１１６】
これにより、端末はターゲットセルとのアップリンク及びダウンリンク同期を完成させる。本発明の実施例では、端末がターゲットセルに滞在した後にダウンリンク制御シグナリングを受信することによって引き起こされ得る高い電力消費を減少するために、データを伝送しない時に、低周波数セル（例えば第一のセル）及びターゲットセルとの同期状態を維持し、低周波数セルでターゲットセルのダウンリンク制御シグナリングを受信し、データを伝送する必要がある時に、ターゲット基地局とデータ伝送を行うように端末を制御することができる。
【０１１７】
Ｓ２０８において、端末は、データを伝送する時に、第二の周波数帯域を使用してターゲットセルとデータ伝送を行う。
【０１１８】
具体的には、端末はアップリンクデータ伝送とダウンリンクデータ伝送を含むデータ伝送を行う。
【０１１９】
端末がアップリンクデータ伝送を行う必要がある場合、受信されたターゲットセルのシステム情報に基づき、ターゲットセルとデータを直接伝送することができる。ネットワーク側が端末へダウンリンクデータを送信する必要がる場合、まずページング情報を送信し、該端末が該ページング情報に基づいてターゲットセルにアクセスし、又はターゲットセルとデータ伝送を行うようにすることができる。
【０１２０】
アップリンクデータ伝送を行う必要がある場合、該第一の指示情報は各第二のセルのシステム情報である。第一の基地局は各第二のセルのサービング基地局（即ち第二の基地局）から第二のセルのシステム情報を取得することができ、各第二のセルのシステム情報を予め記憶することもできる。第一の基地局は各第二のセルのシステム情報を周期的にブロードキャストすることができ、端末は、受信された各第二のセルのシステム情報及びそれ自体に確定されたターゲットセルのセル識別子に基づき、ターゲットセルのシステム情報を確定し、且つ該ターゲットセルのシステム情報に基づき、ターゲット基地局とデータ伝送を行うことができる。
【０１２１】
ダウンリンクデータ伝送を行う必要がある時に、該第一の指示情報はページング情報、又は、ページング情報とターゲットセルの配置情報を含む。端末は該第一の指示情報に基づいてターゲットセルを直接確定し、ターゲット基地局とデータ伝送を行うことができる。
【０１２２】
したがって、本発明の実施例によるデータ伝送のための方法では、端末が第一の周波数帯域でターゲットセルとの同期を予め完成させることにより、データ伝送を行う必要がある時に、ターゲットセルでデータ伝送を行い、端末が高周波数帯域に滞在してダウンリンク制御シグナリングを受信することによって引き起こされ得る高い電力消費を回避し、同時に、ターゲットセルとの同期を予め完成させることにより、データ伝送を行う必要がある時に、できる速く高周波数帯域セル又はターゲットセルにアクセスしてデータ伝送を行うことができ、従来技術と比較し、従来技術におけるセルアクセスプロセスを大幅に減少し、シグナリングオーバーヘッドを削減させる。
【０１２３】
以上に図２を参照しながら本発明の実施例によるデータ伝送のための方法を詳細に説明した。以下に図３−図５を参照しながら本発明の実施例によるデータ伝送のための装置を詳細に説明する。
【０１２４】
図３は本発明の実施例による端末３００の概略ブロック図である。図３に示すように、該端末３００は、
データを伝送しない時に、第一の周波数帯域を使用する第一のセルで第一の指示情報を受信するように構成され、該第一の指示情報が、データを伝送する必要がある時に第二の周波数帯域を使用してデータを伝送するように該第一の指示情報を受信した端末に指示することに用いられる送受信ユニット３１０を備え、
該送受信ユニット３１０がさらに該第一の指示情報に基づき、データ伝送を行う必要がある時に第二の周波数帯域を使用する第二のセルでデータ伝送を行うように構成される。
【０１２５】
選択可能に、該端末３００はさらに、
該第一の指示情報に基づき、該第二の周波数帯域を使用する一つ又は複数の第二のセルをターゲットセルとして確定するように構成される確定ユニットと、
該ターゲットセルとセル同期を行うように構成される処理ユニットとを備え、
該送受信ユニット３１０は具体的に、データ伝送を行う必要がある時に、該第二の周波数帯域を使用して該ターゲットセルとデータ伝送を行うように構成される。
【０１２６】
選択可能に、該第一の指示情報が第一の基地局によって第一のセルを介して送信されたページング情報、又は前記ページング情報とターゲットセルの配置情報であり、該第一の指示情報が該第二の周波数帯域情報及び／又は該ターゲットセルの属する基地局情報及び／又は該ターゲットセル情報を含み、該第一の基地局が該第一のセルの属する基地局であり、
該確定ユニットは具体的に、該がページング情報に基づいて該ターゲットセルを確定するように構成され、又は、
該確定ユニットは具体的に、該ページング情報とターゲットセルの配置情報に基づき、該ターゲットセルを確定するように構成される。
【０１２７】
選択可能に、該第一の指示情報は第一の基地局によって第一のセルを介して送信された第二のセルのシステム情報であり、該第二のセルのシステム情報が該第二のセルの周波数帯域情報及び／又は該第二のセルの属する基地局情報及び／又は該第二のセル情報を含み、該第一の基地局が該第一のセルの属する基地局であり、
該送受信ユニット３１０は具体的に、該第一の周波数帯域を使用する該第一のセルで少なくとも一つの第二のセルのシステム情報を受信するように構成され、該少なくとも一つの第二のセルのシステム情報が少なくとも一つの第二のセルと一対一で対応し、
該確定ユニットは具体的に、該少なくとも一つの第二のセルのシステム情報に基づき、該少なくとも一つの第二のセルから一つ又は複数の第二のセルを該ターゲットセルとして確定するように構成される。
【０１２８】
選択可能に、該送受信ユニット３１０はさらに、該第二の周波数帯域で、該ターゲットセルの属するターゲット基地局へアップリンク同期リクエストを送信するように構成され、該アップリンク同期リクエストが該端末と該ターゲットセルのアップリンク同期情報を取得することに用いられ、
該送受信ユニット３１０はさらに、該第一のセルでアップリンク同期情報を受信するように構成され、該アップリンク同期情報が該第一の基地局によって該ターゲット基地局から取得され、該アップリンク同期情報が該ターゲット基地局によって該アップリンク同期リクエストに応じて確定され、該第一の基地局が該第一のセルの属する基地局であり、
該処理ユニットは具体的に、該アップリンク同期情報に基づき、該ターゲットセルとアップリンク同期を行うように構成される。
【０１２９】
選択可能に、該送受信ユニット３１０はさらに、第一のセルで該第一のセルのダウンリンク同期情報を受信するように構成され、
該確定ユニットはさらに該ターゲットセルのダウンリンク同期情報を確定するように構成され、
該処理ユニットが具体的に該ターゲットセルのダウンリンク同期情報に基づき、該ターゲットセルとダウンリンク同期を行うように構成される。
【０１３０】
選択可能に、該送受信ユニット３１０はさらに、該第一の基地局によって該第一のセルを介して送信された、該少なくとも一つの第二のセルに対応する少なくとも一つのダウンリンク同期オフセット情報を受信するように構成され、各ダウンリンク同期オフセット情報が対応する第二のセルのタイミングと該第一のセルのタイミングの間の時間オフセット量を含み、該第一の基地局が該第一のセルの属する基地局であり、
該確定ユニットは具体的に該少なくとも一つの第二のセルのダウンリンク同期オフセット情報に基づき、該ターゲットセルのダウンリンク同期情報を確定するように構成される。
【０１３１】
本発明の実施例による端末３００は本発明の実施例によるデータ伝送のための方法における端末に対応することができ、且つ、該端末３００における各ユニットと上記の他の動作及び／又は機能がそれぞれ図２における方法の対応するプロセスを実施することに用いられ、簡潔にするために、ここで説明を省略する。
【０１３２】
したがって、本発明の実施例による端末では、第一の周波数帯域でターゲットセルとの同期を予め完成させることにより、データ伝送を行う必要がある時に、ターゲットセルとデータ伝送を行い、端末が高周波数帯域に滞在してダウンリンク制御シグナリングを受信することによって引き起こされ得る高い電力消費を回避し、同時に、ターゲットセルとの同期を予め完成させることにより、データ伝送を行う必要がある時に、ターゲットセルとデータ伝送を行うことができ、従来技術と比較し、従来技術におけるセルアクセスプロセスを大幅に減少し、シグナリングオーバーヘッドを削減させる。
【０１３３】
図４は本発明の実施例による基地局４００の概略ブロック図である。図４に示すように、該基地局４００は、
第一の指示情報を確定するように構成され、該第一の指示情報が、第二の周波数帯域を使用する第二のセルでデータを伝送するように該第一の指示情報を受信した端末に指示することに用いられ、該基地局が第一の周波数帯域を使用する第一のセルの属する基地局である確定ユニット４１０と、
該第一のセルを介して該第一の指示情報を送信するように構成される送受信ユニット４２０とを備える。
【０１３４】
選択可能に、該第一の指示情報がページング情報、又は該ページング情報とターゲットセルの配置情報であり、該第一の指示情報が該第二の周波数帯域情報及び／又はターゲット基地局情報及び／又はターゲットセル情報を含み、該第二のセルが該ターゲットセルを含み、該ターゲット基地局が該ターゲットセルの属する基地局であり、
該送受信ユニット４２０は具体的に該第一のセルを介して該ページング情報を送信するように構成され、又は、
該送受信ユニット４２０は具体的に、該第一のセルを介して該ページング情報と該ターゲットセルの配置情報を送信するように構成される。
【０１３５】
選択可能に、該第一の指示情報が該第二のセルのシステム情報であり、該第二のセルのシステム情報が該第二のセルの周波数帯域情報及び／又は該第二のセルの属する基地局情報及び／又は該第二のセル情報を含み、
該送受信ユニット４１０はさらに少なくとも一つの第二の基地局によって送信された少なくとも一つの第二のセルのシステム情報を受信するように構成され、該少なくとも一つの第二のセルのシステム情報が該少なくとも一つの第二のセルと一対一で対応し、
送受信ユニット４２０は具体的に該第一のセルを介して該少なくとも一つの第二のセルのシステム情報を送信するように構成される。
【０１３６】
選択可能に、該送受信ユニット４２０はさらに、該第一のセルを介してアップリンク同期情報を送信するように構成され、該アップリンク同期情報が該基地局によってターゲット基地局から取得され、該アップリンク同期情報が該ターゲット基地局によって前記端末が前記第二の周波数帯域で前記ターゲット基地局に送信したアップリンク同期リクエストに応じて確定され、ここで、該ターゲット基地局が該ターゲットセルの属する基地局であり、該ターゲットセルが該端末によって該少なくとも一つの第二のセルから確定される。
【０１３７】
選択可能に、該送受信ユニット４２０はさらに該第一のセルを介して該端末へ該第一のセルのダウンリンク同期情報を送信するように構成される。
【０１３８】
選択可能に、該送受信ユニット４２０はさらに該第一のセルを介して該端末へ該少なくとも一つの第二のセルに対応する少なくとも一つのダウンリンク同期オフセット情報を送信するように構成され、各ダウンリンク同期オフセット情報が対応する第二のセルのタイミングと該第一のセルのタイミングの間の時間オフセット量を含む。
【０１３９】
本発明の実施例による基地局４００は本発明の実施例によるデータ伝送のための方法における第一の基地局に対応することができ、且つ、該基地局４００における各ユニットと上記の他の動作及び／又は機能がそれぞれ図２における方法の対応するプロセスを実施することに用いられ、簡潔にするために、ここで説明を省略する。
【０１４０】
したがって、本発明の実施例による基地局では、第一の周波数帯域で端末へダウンリンク制御シグナリングを送信することにより、端末は第一の周波数帯域でターゲットセルとの同期を予め完成させ、データ伝送を行う必要がある時に、端末はターゲットセルとデータ伝送を行うことができ、端末が高周波数帯域に滞在してダウンリンク制御シグナリングを受信することによって引き起こされ得る高い電力消費を回避し、同時に、ターゲットセルとの同期を予め完成させることにより、データ伝送を行う必要がある時に、ターゲットセルとデータ伝送を行うことができ、従来技術と比較し、従来技術におけるセルアクセスプロセスを大幅に減少し、シグナリングオーバーヘッドを削減させる。
【０１４１】
図５は本発明の実施例による他の基地局５００の概略ブロック図である。図５に示すように、該基地局５００は、
第一の基地局へ第二のセルのシステム情報を送信するように構成され、該システム情報が該第二のセルのシステムパラメータを示すことに用いられ、該第二のセルに対応する搬送波周波数が第二の周波数帯域に属し、該第一の基地局が第一の周波数帯域を使用する第一のセルの属する基地局であり、該基地局に該第二のセルと該第一のセルとの対応関係が予め記憶される送受信ユニット５１０を備え、
該送受信ユニット５１０がさらに該第二のセルを介して該端末とデータ伝送を行うように構成される。
【０１４２】
選択可能に、該送受信ユニット５１０はさらに該第二の周波数帯域で該端末から送信されたアップリンク同期リクエストを受信するように構成され、該アップリンク同期リクエストが該端末と該第二のセルのアップリンク同期情報を取得することに用いられ、
該送受信ユニット５１０はさらに該アップリンク同期リクエストに応じて該アップリンク同期情報を確定し、且つ該第一の基地局へ該アップリンク同期情報を送信するように構成される。
【０１４３】
本発明の実施例による基地局５００は本発明の実施例によるデータ伝送のための方法における第二の基地局に対応することができ、且つ、該基地局５００における各ユニットと上記の他の動作及び／又は機能がそれぞれ図２におけう方法の対応するプロセスを実施することに用いられ、簡潔にするために、ここで説明を省略する。
【０１４４】
したがって、本発明の実施例による基地局では、第一のセル内の端末とターゲットセルとの同期を予め完成させることにより、データ伝送を行う必要がある時に、該端末とデータ伝送を行い、端末が高周波数帯域に滞在してダウンリンク制御シグナリングを受信することによって引き起こされ得る高い電力消費を回避し、同時に、ターゲットセルとの同期を予め完成させることにより、データ伝送を行う必要がある時に、ターゲットセルとデータ伝送を行うことができ、従来技術と比較し、従来技術におけるセルアクセスプロセスを大幅に減少し、シグナリングオーバーヘッドを削減させる。
【０１４５】
以上に図３−図５を参照しながら本発明の実施例によるデータ伝送のための装置を説明した。以下に図６−図８を参照しながら本発明の実施例によるデータ伝送のための装置を詳細に説明する。
【０１４６】
図６は本発明の実施例による端末６００の概略ブロック図である。図６に示すように、該端末３００は送受信機６１０、プロセッサ６２０、メモリ６３０とバスシステム６４０を備える。ここで、プロセッサ６２０、メモリ６３０と送受信機６１０はバスシステム６４０を介して接続され、該メモリ６３０は命令を記憶するように構成され、該プロセッサ６２０は該メモリ６３０に記憶された命令を実行し、信号を受信及び送信するように送受信機６１０を制御するように構成される。
【０１４７】
ここで、該送受信機６１０はデータを伝送しない時に、第一の周波数帯域を使用する第一のセルで第一の指示情報を受信するように構成され、該第一の指示情報が、データを伝送する必要がある時に第二の周波数帯域を使用してデータを伝送するように該第一の指示情報を受信した端末に指示することに用いられ、
該送受信機６１０はさらに該第一の指示情報に基づき、データ伝送を行う必要がある時に第二の周波数帯域を使用する第二のセルでデータ伝送を行うように構成される。
【０１４８】
理解すべきものとして、本発明の実施例では、該プロセッサ６２０は中央処理ユニット（Ｃｅｎｔｒａｌ  Ｐｒｏｃｅｓｓｉｎｇ  Ｕｎｉｔ：「ＣＰＵ」と略称）であってもよく、該プロセッサ６２０は他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブル論理デバイス、ディスクリートゲート又はトランジスタ論理デバイス、ディスクリートハードウェア部材などであってもよい。汎用プロセッサはマイクロプロセッサであってもよく、又は該プロセッサはいずれかの従来のプロセッサなどであってもよい。
【０１４９】
該メモリ６３０は読み取り専用メモリとランダムアクセスメモリを含み、且つプロセッサ６２０に命令とデータを提供することができる。メモリ６３０の一部はさらに不揮発性ランダムアクセスメモリを含むことができる。例えば、メモリ６３０はさらに装置タイプの情報を記憶することができる。
【０１５０】
該バスシステム６４０はデータバスに加えて、電源バス、制御バスと状態信号バスなどを含むことができる。明確に説明するために、図において様々なばバスがバスシステム６４０として表記される。
【０１５１】
実施プロセスでは、上記方法の各ステップがプロセッサ６２０内のハードウェアの集積論理回路又はソフトウェア形態の命令により完了されてもよい。本発明の実施例と組み合わせて開示される、スーパーセル間の切り替えのためのステップはハードウェアプロセッサによって実行されて完了され、又はプロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ６３０に位置し、プロセッサ６２０はメモリ６３０における情報を実行し、そのハードウェアと組み合わせて上記方法のステップを完了する。繰り返しを回避するために、ここで詳細な説明を省略する。
【０１５２】
選択可能に、該プロセッサ６２０は該第一の指示情報に基づき、該第二の周波数帯域を使用する一つ又は複数の第二のセルをターゲットセルとして確定するように構成され、
該プロセッサ６２０はさらに該ターゲットセルとセル同期を行うように構成され、
該送受信機６１０は具体的にデータ伝送を行う必要がある時に、該第二の周波数帯域を使用して該ターゲットセルとデータ伝送を行うように構成される。
【０１５３】
選択可能に、該第一の指示情報が第一の基地局によって第一のセルを介して送信されたページング情報、又は該ページング情報とターゲットセルの配置情報であり、該第一の指示情報が該第二の周波数帯域情報及び／又は該ターゲットセルの属する基地局情報及び／又は該ターゲットセル情報を含み、該第一の基地局が該第一のセルの属する基地局であり、
該プロセッサ６２０は具体的に該ページング情報に基づいて該ターゲットセルを確定するように構成され、又は、
該プロセッサ６２０は具体的に該ページング情報と該ターゲットセルの配置情報に基づき、該ターゲットセルを確定するように構成される。
【０１５４】
選択可能に、該第一の指示情報が第一の基地局によって該第一のセルを介して送信された第二のセルのシステム情報であり、該第二のセルのシステム情報が該第二のセルの周波数帯域情報及び／又は該第二のセルの属する基地局情報及び／又は該第二のセル情報を含み、該第一の基地局が該第一のセルの属する基地局であり、
該送受信機６１０は具体的に該第一の周波数帯域を使用する該第一のセルで少なくとも一つの第二のセルのシステム情報を受信するように構成され、該少なくとも一つの第二のセルのシステム情報が少なくとも一つの第二のセルと一対一で対応し、
該プロセッサ６２０は具体的に該少なくとも一つの第二のセルのシステム情報に基づき、該少なくとも一つの第二のセルから一つ又は複数の第二のセルを該ターゲットセルとして確定するように構成される。
【０１５５】
選択可能に、該送受信機６１０はさらに該第二の周波数帯域で、該ターゲットセルの属するターゲット基地局へアップリンク同期リクエストを送信するように構成され、該アップリンク同期リクエストが該端末と該ターゲットセルのアップリンク同期情報を取得することに用いられ、
該送受信機６１０はさらに該第一のセルでアップリンク同期情報を受信するように構成され、該アップリンク同期情報が該第一の基地局によって該ターゲット基地局から取得され、該アップリンク同期情報が該ターゲット基地局によって該アップリンク同期リクエストに応じて確定され、該第一の基地局が該第一のセルの属する基地局であり、
該プロセッサ６２０は具体的に該アップリンク同期情報に基づき、該ターゲットセルとアップリンク同期を行うように構成される。
【０１５６】
選択可能に、該送受信機６１０はさらに第一のセルで該第一のセルのダウンリンク同期情報を受信するように構成され、
該プロセッサ６２０はさらに該ターゲットセルのダウンリンク同期情報を確定するように構成され、
該プロセッサ６２０は具体的に該ターゲットセルのダウンリンク同期情報に基づき、該ターゲットセルとダウンリンク同期を行うように構成される。
【０１５７】
選択可能に、該送受信機６１０はさらに該第一の基地局によって該第一のセルを介して送信された、該少なくとも一つの第二のセルに対応する少なくとも一つのダウンリンク同期オフセット情報を受信するように構成され、各ダウンリンク同期オフセット情報が対応する第二のセルのタイミングと該第一のセルのタイミングの間の時間オフセット量を含み、該第一の基地局が該第一のセルの属する基地局であり、
該プロセッサ６２０は具体的に該少なくとも一つの第二のセルのダウンリンク同期オフセット情報に基づき、該ターゲットセルのダウンリンク同期情報を確定するように構成される。
【０１５８】
本発明の実施例による端末６００は本発明の実施例におけるデータ伝送のための方法における端末に対応することができ、且つ、該端末６００における各モジュールと上記の他の動作及び／又は機能がそれぞれ図２における方法の対応するプロセスを実施することに用いられ、簡潔にするために、ここで説明を省略する。
【０１５９】
したがって、本発明の実施例による端末では、第一の周波数帯域でターゲットセルとの同期を予め完成させることにより、データ伝送を行う必要がある時に、ターゲットセルとデータ伝送を行い、端末が高周波数帯域に滞在してダウンリンク制御シグナリングを受信することによって引き起こされ得る高い電力消費を回避し、同時に、ターゲットセルとの同期を予め完成させることにより、データ伝送を行う必要がある時に、ターゲットセルとデータ伝送を行うことができ、従来技術と比較し、従来技術におけるセルアクセスプロセスを大幅に減少し、シグナリングオーバーヘッドを削減させる。
【０１６０】
図７は本発明の実施例による基地局７００の概略ブロックである。図７に示すように、該基地局７００は、送受信機７１０、プロセッサ７２０、メモリ７３０とバスシステム７４０を備える。ここで、プロセッサ７２０、メモリ７３０と送受信機７１０はバスシステム７４０を介して接続され、該メモリ７３０は命令を記憶するように構成され、該プロセッサ７２０は該メモリ７３０に記憶された命令を実行し、信号を受信及び送信するように送受信機７１０を制御するように構成される。
【０１６１】
ここで、該プロセッサ７２０は第一の指示情報を確定するように構成され、該第一の指示情報が、第二の周波数帯域を使用する第二のセルでデータを伝送するように該第一の指示情報を受信した端末に指示することに用いられ、該基地局が第一の周波数帯域を使用する第一のセルの属する基地局であり、
該送受信機７１０は該第一のセルを介して該第一の指示情報を送信するように構成される。
【０１６２】
選択可能に、該第一の指示情報がページング情報、又は該ページング情報とターゲットセルの配置情報であり、該第一の指示情報が該第二の周波数帯域情報及び／又はターゲット基地局情報及び／又はターゲットセル情報を含み、該第二のセルが該ターゲットセルを含み、該ターゲット基地局が該ターゲットセルの属する基地局であり、
該送受信機７１０は具体的に、該第一のセルを介して該ページング情報を送信するように構成され、又は、
該送受信機７１０は具体的に、該第一のセルを介して該ページング情報と該ターゲットセルの配置情報を送信するように構成される。
【０１６３】
選択可能に、該第一の指示情報が該第二のセルのシステム情報であり、該第二のセルのシステム情報が該第二のセルの周波数帯域情報及び／又は該第二のセルの属する基地局情報及び／又は該第二のセル情報を含み、
該送受信機７１０はさらに少なくとも一つの第二の基地局によって送信された少なくとも一つの第二のセルのシステム情報を受信するように構成され、該少なくとも一つの第二のセルのシステム情報が該少なくとも一つの第二のセルと一対一で対応し、
該送受信機７１０は具体的に該第一のセルを介して該少なくとも一つの第二のセルのシステム情報を送信するように構成される。
【０１６４】
選択可能に、該送受信機７１０はさらに、該第一のセルを介してアップリンク同期情報を送信するように構成され、該アップリンク同期情報が該基地局によってターゲット基地局から取得され、該アップリンク同期情報が該ターゲット基地局によって該端末が該第二の周波数帯域で該ターゲット基地局に送信したアップリンク同期リクエストに応じて確定され、ここで、該ターゲット基地局が該ターゲットセルの属する基地局であり、該ターゲットセルが該端末によって該少なくとも一つの第二のセルから確定される。
【０１６５】
選択可能に、該送受信機７１０はさらに該第一のセルを介して該端末へ該第一のセルのダウンリンク同期情報を送信するように構成される。
【０１６６】
選択可能に、該送受信機７１０はさらに該第一のセルを介して該端末へ該少なくとも一つの第二のセルに対応する少なくとも一つのダウンリンク同期オフセット情報を送信するように構成され、各ダウンリンク同期オフセット情報が対応する第二のセルのタイミングと該第一のセルのタイミングの間の時間オフセット量を含む。
【０１６７】
本発明の実施例による基地局７００は本発明の実施例によるデータ伝送のための方法における第一の基地局に対応することができ、且つ、該基地局７００における各モジュールと上記の他の動作及び／又は機能がそれぞれ図２における方法の対応するプロセスを実施することに用いられ、簡潔にするために、ここで説明を省略する。
【０１６８】
したがって、本発明の実施例による基地局では、第一の周波数帯域で端末へダウンリンク制御シグナリングを送信することにより、端末は第一の周波数帯域でターゲットセルとの同期を予め完成させ、データ伝送を行う必要がある時に、端末はターゲットセルとデータ伝送を行うことができ、端末が高周波数帯域に滞在してダウンリンク制御シグナリングを受信することによって引き起こされ得る高い電力消費を回避し、同時に、ターゲットセルとの同期を予め完成させることにより、データ伝送を行う必要がある時に、ターゲットセルとデータ伝送を行うことができ、従来技術と比較し、従来技術におけるセルアクセスプロセスを大幅に減少し、シグナリングオーバーヘッドを削減させる。
【０１６９】
図８は本発明の実施例による他の基地局８００の概略ブロック図である。図８に示すように、該基地局８００は、送受信機８１０、プロセッサ８２０、メモリ８３０とバスシステム８４０を備える。ここで、プロセッサ８２０、メモリ８３０と送受信機８１０はバスシステム８４０を介して接続され、該メモリ８３０は命令を記憶するように構成され、該プロセッサ８２０は該メモリ８３０に記憶された命令を実行し、信号を受信及び送信するように送受信機８１０を制御するように構成される。
【０１７０】
ここで、該送受信機８１０は第一の基地局へ第二のセルのシステム情報を送信するように構成され、該システム情報が該第二のセルのシステムパラメータを示すことに用いられ、該第二のセルに対応する搬送波周波数が第二の周波数帯域に属し、該第一の基地局が第一の周波数帯域を使用する第一のセルの属する基地局であり、該基地局に該第二のセルと該第一のセルとの対応関係が予め記憶され、
該送受信機８１０がさらに該第二のセルを介して該端末とデータ伝送を行うように構成され、
選択可能に、該送受信ユニット８１０はさらに該第二の周波数帯域で該端末から送信されたアップリンク同期リクエストを受信するように構成され、該アップリンク同期リクエストが該端末と該第二のセルのアップリンク同期情報を取得することに用いられ、
該送受信機８１０はさらに該アップリンク同期リクエストに応じて該アップリンク同期情報を確定し、且つ該第一の基地局へ該アップリンク同期情報を送信するように構成される。
【０１７１】
本発明の実施例による基地局８００は本発明の実施例によるデータ伝送のための方法における第二の基地局に対応することができ、且つ、該基地局８００における各モジュールと上記の他の動作及び／又は機能がそれぞれ図２におけう方法の対応するプロセスを実施することに用いられ、簡潔にするために、ここで説明を省略する。
【０１７２】
したがって、本発明の実施例による基地局では、第一のセル内の端末とターゲットセルとの同期を予め完成させることにより、データ伝送を行う必要がある時に、該端末とデータ伝送を行い、端末が高周波数帯域に滞在してダウンリンク制御シグナリングを受信することによって引き起こされ得る高い電力消費を回避し、同時に、ターゲットセルとの同期を予め完成させることにより、データ伝送を行う必要がある時に、ターゲットセルとデータ伝送を行うことができ、従来技術と比較し、従来技術におけるセルアクセスプロセスを大幅に減少し、シグナリングオーバーヘッドを削減させる。
【０１７３】
理解すべきものとして、本明細書では用語「及び／又は」は、関連するオブジェクトの関連関係を記述するためのものに過ぎず、３種類の関係が存在してもよいことを示し、例えば、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１７４】
理解すべきものとして、本発明の各方法の実施例では、上記各プロセスの番号の大きさが実行順序を意味せず、各プロセスの実行順序はその機能と内部ロジックによって確定されるべきであり、本発明の実施例の実施プロセスのいかなる限定をも構成に加えるべきではない。
【０１７５】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０１７６】
当業者は便利且つ簡潔に説明するために、上述したシステム、装置とユニットの具体的な動作プロセスについて上記方法の実施例における対応するプロセスを参照でき、ここでは説明を省略することを明確に理解することができる。
【０１７７】
本出願が提供するいくつかの実施例では、開示されたシステム、装置及び方法は他の方式により実現されてもよいと理解すべきである。例えば、上述した装置の実施例は例示的なものに過ぎず、例えば、前記ユニットの区分はロジック機能的区分に過ぎず、実際に実施する時には他の区分方式もあり得る。例えば複数のユニット又は部材は組み合わせられてもよく、又は他のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１７８】
分離部材として説明された前記ユニットは物理的に分離するものであってもよく、又は物理的に分離するものでなくてもよく、ユニットとして表示された部材は物理的ユニットであってもよく、又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１７９】
また、本発明の各実施例における各機能ユニットは一つの処理ユニットに統合されてもよく、個々のユニットは単独で物理的に存在してもよく、２つ又は２つ以上のユニットは一つのユニットに統合されてもよい。
【０１８０】
前記機能はソフトウェア機能ユニットの形態で実現され且つ独立した製品として販売又は使用される場合、一つのコンピュータ可読記憶媒体に格納されてもよい。このような理解に基づき、本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１８１】
以上は、本発明の具体的な実施形態に過ぎず、本発明の保護範囲はこれに制限されず、当業者が本発明に開示された技術範囲内で容易に想到し得る変化又は入れ替わりは全て本発明の保護範囲内に含まれるべきである。したがって、本発明の保護範囲は特許請求の範囲によって準拠するべきである。
【図１】
2019525505.tif 000003
【図２】
2019525505.tif 000004
【図３】
2019525505.tif 000005
【図４】
2019525505.tif 000006
【図５】
2019525505.tif 000007
【図６】
2019525505.tif 000008
【図７】
2019525505.tif 000009
【図８】
2019525505.tif 000010
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
データ伝送のための方法であって、
端末がデータを伝送しない時に、第一の周波数帯域を使用する第一のセルで第一の指示情報を受信し、前記第一の指示情報が、データを伝送する必要がある時に第二の周波数帯域を使用してデータを伝送するように前記第一の指示情報を受信した端末に指示することに用いられることと、
前記端末が前記第一の指示情報に基づき、データ伝送を行う必要がある時に第二の周波数帯域を使用する第二のセルでデータ伝送を行うこととを含む、データ伝送方法。
【請求項２】
前記端末が前記第一の指示情報に基づき、データ伝送を行う必要がある時に第二の周波数帯域を使用する第二のセルでデータ伝送を行うことは、
前記端末が前記第一の指示情報に基づき、前記第二の周波数帯域を使用する一つ又は複数の第二のセルをターゲットセルとして確定することと、
前記端末が前記ターゲットセルと同期を行うことと、
前記端末がデータ伝送を行う必要がある時に、前記第二の周波数帯域を使用して前記ターゲットセルとデータ伝送を行うこととを含むことを特徴とする
請求項１に記載の方法。
【請求項３】
前記第一の指示情報が第一の基地局によって前記第一のセルを介して送信されたページング情報、又は前記ページング情報とターゲットセルの配置情報であり、前記第一の指示情報が前記第二の周波数帯域情報及び／又は前記ターゲットセルの属する基地局情報及び／又は前記ターゲットセル情報を含み、前記第一の基地局が前記第一のセルの属する基地局であり、及び、
前記端末が前記第一の指示情報に基づき、前記第二の周波数帯域を使用する一つ又は複数の第二のセルをターゲットセルとして確定することは、
前記端末が前記ページング情報に基づいて前記ターゲットセルを確定すること、又は、  前記端末が前記ページング情報と前記ターゲットセルの配置情報に基づき、前記ターゲットセルを確定することを含むことを特徴とする
請求項２に記載の方法。
【請求項４】
前記第一の指示情報が第一の基地局によって前記第一のセルを介して送信された第二のセルのシステム情報であり、前記第二のセルのシステム情報が前記第二のセルの周波数帯域情報及び／又は前記第二のセルの属する基地局情報及び／又は前記第二のセル情報を含み、前記第一の基地局が前記第一のセルの属する基地局であり、及び、
前記端末がデータを伝送しない時に、第一の周波数帯域を使用する第一のセルで第一の指示情報を受信することは、
前記端末が前記第一の周波数帯域を使用する前記第一のセルで少なくとも一つの第二のセルのシステム情報を受信し、前記少なくとも一つの第二のセルのシステム情報が少なくとも一つの第二のセルと一対一で対応することを含み、
前記端末が前記第一の指示情報に基づき、前記第二の周波数帯域を使用する一つ又は複数の第二のセルをターゲットセルとして確定することは、
前記端末が前記少なくとも一つの第二のセルのシステム情報に基づき、前記少なくとも一つの第二のセルから一つ又は複数の第二のセルを前記ターゲットセルとして確定することを含むことを特徴とする
請求項２に記載の方法。
【請求項５】
前記端末が前記ターゲットセルと同期を行うことは、
前記端末が前記第二の周波数帯域で、前記ターゲットセルの属するターゲット基地局へアップリンク同期メッセージを送信し、前記アップリンク同期メッセージが前記端末と前記ターゲットセルのアップリンク同期情報を取得することに用いられることと、
前記端末が前記第一のセルでアップリンク同期情報を受信し、前記アップリンク同期情報が前記第一の基地局によって前記ターゲット基地局から取得され、前記アップリンク同期情報が前記ターゲット基地局によって前記アップリンク同期メッセージに応じて確定され、前記第一の基地局が前記第一のセルの属する基地局であることと、
前記端末が前記アップリンク同期情報に基づき、前記ターゲットセルとアップリンク同期を行うこととを含むことを特徴とする
請求項２乃至４のいずれか一項に記載の方法。
【請求項６】
アップリンク同期情報及び送信リソースは前記ターゲット基地局によって確定され、且つ前記第一の基地局を介して送信側に送信され、又は、
前記アップリンク同期情報は前記第一の基地局によって前記ターゲット基地局にリクエストされ、且つ前記ターゲット基地局が前記アップリンク同期情報を獲得し且つ前記送信リソースを割り当てた後に、前記第一の基地局によって前記端末に送信され、
ここで、前記アップリンク同期情報は前記送信リソースの指示情報を含むことを特徴とする
請求項５に記載の方法。
【請求項７】
前記端末が前記ターゲットセルと同期を行うことは、
前記端末が前記第一のセルで前記第一のセルのダウンリンク同期情報を受信することと、
前記端末が前記ターゲットセルのダウンリンク同期情報を確定することと、
前記端末が前記ターゲットセルのダウンリンク同期情報に基づき、前記ターゲットセルとダウンリンク同期を行うこととを含むことを特徴とする
請求項２乃至４のいずれか一項に記載の方法。
【請求項８】
前記端末が前記ターゲットセルのダウンリンク同期情報を確定することは、
前記端末が前記第一の基地局によって前記第一のセルを介して送信された、前記少なくとも一つの第二のセルに対応する少なくとも一つのダウンリンク同期オフセット情報を受信し、各ダウンリンク同期オフセット情報が対応する第二のセルのタイミングと前記第一のセルのタイミングの間の時間オフセット量を含み、前記第一の基地局が前記第一のセルの属する基地局であることと、
前記端末が前記少なくとも一つの第二のセルのダウンリンク同期オフセット情報に基づき、前記ターゲットセルのダウンリンク同期情報を確定することとを含むことを特徴とする
請求項７に記載の方法。
【請求項９】
データ伝送のための方法であって、
第一の基地局が第一の指示情報を確定し、前記第一の指示情報が、第二の周波数帯域を使用する第二のセルでデータを伝送するように前記第一の指示情報を受信した端末に指示することに用いられ、前記第一の基地局が第一の周波数帯域を使用する第一のセルの属する基地局であることと、
前記第一の基地局が前記第一のセルを介して前記第一の指示情報を送信することとを含む、データ伝送方法。
【請求項１０】
前記第一の指示情報がページング情報、又は前記ページング情報とターゲットセルの配置情報であり、前記第一の指示情報が前記第二の周波数帯域情報及び／又はターゲット基地局情報及び／又は前記ターゲットセル情報を含み、前記第二のセルが前記ターゲットセルを含み、前記ターゲット基地局が前記ターゲットセルの属する基地局であり、及び、
前記第一の基地局が前記第一のセルを介して第一指示情報を送信することは、
前記第一の基地局が前記第一のセルを介して前記ページング情報を送信すること、又は、
前記第一の基地局が前記第一のセルを介して前記ページング情報と前記ターゲットセルの配置情報を送信することを含むことを特徴とする
請求項９に記載の方法。
【請求項１１】
前記第一の指示情報は前記第二のセルのシステム情報であり、前記第二のセルのシステム情報が前記第二のセルの周波数帯域情報及び／又は前記第二のセルの属する基地局情報及び／又は前記第二のセル情報を含み、及び、
前記第一の基地局が前記第一のセルを介して第一の指示情報を送信することは、
前記第一の基地局が少なくとも一つの第二の基地局によって送信された少なくとも一つの第二のセルのシステム情報を受信し、前記少なくとも一つの第二のセルのシステム情報が前記少なくとも一つの第二のセルと一対一で対応することと、
前記第一の基地局が前記第一のセルを介して前記少なくとも一つの第二のセルのシステム情報を送信することとを含むことを特徴とする
請求項９に記載の方法。
【請求項１２】
前記方法はさらに、
前記第一の基地局が前記第一のセルを介してアップリンク同期情報を送信し、前記アップリンク同期情報が前記第一の基地局によってターゲット基地局から取得され、前記アップリンク同期情報が前記ターゲット基地局によって前記端末が前記第二の周波数帯域で前記ターゲット基地局に送信したアップリンク同期メッセージに応じて確定され、前記ターゲット基地局が前記ターゲットセルの属する基地局であり、前記ターゲットセルが前記端末によって前記少なくとも一つの第二のセルから確定されることを含むことを特徴とする  請求項９乃至１１のいずれか一項に記載の方法。
【請求項１３】
前記方法はさらに、
前記第一の基地局が前記第一のセルを介して前記端末へ前記第一のセルのダウンリンク同期情報を送信することを含むことを特徴とする
請求項９乃至１１のいずれか一項に記載の方法。
【請求項１４】
前記方法はさらに、
前記第一の基地局が前記第一のセルを介して前記端末へ前記少なくとも一つの第二のセルに対応する少なくとも一つのダウンリンク同期オフセット情報を送信し、各ダウンリンク同期オフセット情報が対応する第二のセルのタイミングと前記第一のセルのタイミングの間の時間オフセット量を含むことを含むことを特徴とする
請求項１３に記載の方法。
【請求項１５】
データ伝送のための方法であって、
第二の基地局が第一の基地局へ第二のセルのシステム情報を送信し、前記システム情報が前記第二のセルのシステムパラメータを示すことに用いられ、前記第二のセルに対応する搬送波周波数が第二の周波数帯域に属し、前記第一の基地局が第一の周波数帯域を使用する第一のセルの属する基地局であり、前記第二の基地局に前記第二のセルと前記第一のセルとの対応関係が予め記憶されることと、
前記第二の基地局が前記第二のセルを介して前記端末とデータ伝送を行うこととを含む、データ伝送方法。
【国際調査報告】
2019525505.tif 000011
2019525505.tif 000012
2019525505.tif 000013
2019525505.tif 000014